(57)【要約】  高周波電流を重畳したレーザ駆動電流により、再生光劣化が発生する。  本発明は、例えば、レーザ光を光ディスク１に照射して情報の読み取りを行う光学的情報再生装置であって、レーザ光を発生する半導体レーザ６と、半導体レーザ６に、高周波電流を重畳した駆動電流を供給するレーザ駆動部７と、光ディスク１を駆動するスピンドルモータ２と、レーザ駆動部７とスピンドルモータ２を制御する制御部５とを備え、制御部５は、高周波電流の重畳の対象となる電流の大きさに基づいて、高周波電流のパラメータを決定する。
2010023905.tif 000002
【特許請求の範囲】
【請求項１】
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定する、光学的情報再生装置。
【請求項２】
前記制御部は、前記情報記録媒体から情報を読み出すための再生速度を決定する機能及び前記情報記録媒体の種類を判別する機能の内、少なくとも何れか一つの機能を有し、
前記重畳の対象となる電流の大きさは、ｉ）前記制御部により前記判別された前記情報記録媒体の種類、ｉｉ）前記制御部により前記決定された前記再生速度及び、ｉｉｉ）前記情報記録媒体の情報記録面の内どの情報記録面が再生されるのかを示す再生層情報の内、少なくとも何れか一つの情報に基づいて決定される、請求項１に記載の光学的情報再生装置。
【請求項３】
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、請求項２に記載の光学的情報再生装置。
【請求項４】
前記高周波電流のパラメータは、前記レーザ光の光強度のピークレベル値と平均レベル値との比が、予め定められた値以下になる様に、設定される、請求項３に記載の光学的情報再生装置。
【請求項５】
前記予め定められた値は、前記情報記録媒体が再生される際に、前記レーザ光によって、前記情報記録媒体の記録情報にダメージを与えないための閾値である、請求項４に記載の光学的情報再生装置。
【請求項６】
前記予め定められた値は、前記情報記録媒体の種類によって、前記再生速度によって、又は、前記情報記録媒体のどの情報記録面を再生するのかによって、異なる、請求項５に記載の光学的情報再生装置。
【請求項７】
前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、請求項４〜６の何れかに記載の光学的情報再生装置。
【請求項８】
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、請求項４，６，又は７に記載の光学的情報再生装置。
【請求項９】
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、請求項４，６，又は７に記載の光学的情報再生装置。
【請求項１０】
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、請求項８又は９に記載の光学的情報再生装置。
【請求項１１】
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、請求項８又は９に記載の光学的情報再生装置。
【請求項１２】
前記記憶部に記憶された前記高周波電流のパラメータに含まれる前記振幅設定値は、所定の振幅の高周波電流が得られる様に予め設定されており、他の振幅設定値は前記記憶部に記憶された前記振幅設定値を用いて算出される、請求項７に記載の光学的情報再生装置。
【請求項１３】
前記制御部は、前記情報記録媒体に記録された前記情報の再生中に前記再生速度を変更する場合、又は、前記再生される前記情報記録面を変更する場合、前記決定されたパラメータを変更する、請求項４に記載の光学的情報再生装置。
【請求項１４】
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、請求項１３に記載の光学的情報再生装置。
【請求項１５】
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、請求項１３に記載の光学的情報再生装置。
【請求項１６】
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備えた、光学的情報再生装置の情報再生方法。
【請求項１７】
前記制御部は、前記情報記録媒体から情報を読み出す再生速度を決定する機能及び前記情報記録媒体の種類を判別する機能の内、少なくとも何れか一方の機能を有し、
前記重畳の対象となる電流の大きさは、ｉ）前記制御部により前記判別された前記情報記録媒体の種類、ｉｉ）前記制御部により前記決定された前記再生速度、及びｉｉｉ）前記情報記録媒体の情報記録面の内どの情報記録面が再生されるのかを示す再生層情報の内、少なくとも何れか一つの情報に基づいて決定される、請求項１６に記載の光学的情報再生装置の情報再生方法。
【請求項１８】
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、請求項１７に記載の光学的情報再生装置の情報再生方法。
【請求項１９】
前記高周波電流のパラメータは、前記レーザ光の光強度のピークレベル値と平均レベル値との比が、予め定められた値以下になる様に、設定される、請求項１８に記載の光学的情報再生装置の情報再生方法。
【請求項２０】
前記予め定められた値は、前記情報記録媒体が再生される際に、前記レーザ光によって、前記情報記録媒体の記録情報にダメージを与えないための閾値である、請求項１９に記載の光学的情報再生装置の情報再生方法。
【請求項２１】
前記予め定められた値は、前記情報記録媒体の種類によって、前記再生速度によって、又は、前記情報記録媒体のどの情報記録面を再生するのかによって、異なる、請求項２０に記載の光学的情報再生装置の情報再生方法。
【請求項２２】
前記情報記録再生装置は、前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、請求項１９〜２１の何れかに記載の光学的情報再生装置の情報再生方法。
【請求項２３】
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、請求項１９、２１、又は２２に記載の光学的情報再生装置の情報再生方法。
【請求項２４】
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、請求項１９、２１、又は２２に記載の光学的情報再生装置の情報再生方法。
【請求項２５】
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、請求項２３又は２４に記載の光学的情報再生装置の情報再生方法。
【請求項２６】
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、請求項２３又は２４に記載の光学的情報再生装置の情報再生方法。
【請求項２７】
前記記憶部に記憶された前記高周波電流のパラメータに含まれる前記振幅設定値は、所定の振幅の高周波電流が得られる様に予め設定されており、他の振幅設定値は前記記憶部に記憶された前記振幅設定値を用いて算出する、請求項２２に記載の光学的情報再生装置の情報再生方法。
【請求項２８】
前記制御部は、前記情報記録媒体に記録された前記情報の再生中に前記再生速度を変更する場合、又は、前記再生される前記情報記録面を変更する場合、前記決定されたパラメータを変更する、請求項１９に記載の光学的情報再生装置の情報再生方法。
【請求項２９】
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、請求項２８に記載の光学的情報再生装置の情報再生方法。
【請求項３０】
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、請求項２８に記載の光学的情報再生装置の情報再生方法。
【請求項３１】
請求項１に記載の光学的情報再生装置の、前記高周波電流の重畳の対象となる電流の大きさに基づいて、前記高周波電流のパラメータを決定する制御部、としてコンピュータを機能させるプログラム。
【請求項３２】
請求項１６に記載の光学的情報再生装置の情報再生方法の、前記制御部により、前記高周波電流の重畳の対象となる電流の大きさに基づいて、前記高周波電流のパラメータを決定する工程をコンピュータに実行させるプログラム。
【請求項３３】
請求項３１又は、３２に記載のプログラムを記録した記録媒体であって、コンピュータにより処理可能な記録媒体。
【発明の詳細な説明】
【技術分野】
【０００１】
本発明は、レーザ光により情報記録媒体に記録された情報の再生機能を少なくとも有し、かつレーザノイズを抑制することを目的とした高周波電流重畳機構を有するレーザ駆動装置を備える光学的情報再生装置、及びその再生方法などに関するものである。
【背景技術】
【０００２】
近年、青紫レーザにより光学的記録媒体に高密度の情報記録再生を行うＢＤ（Ｂｌｕ−ｒａｙ  Ｄｉｓｃ）等の光学的情報再生装置においては高速記録・再生化（高倍速化）が進んでおり、半導体レーザも高出力化が進んでいる。【０００３】
一方、半導体レーザを用いて情報の記録再生を行う光学的情報記録再生装置においては、半導体レーザから射出されたレーザ光を回転する情報記録媒体に照射し、情報記録媒体からの反射光を光検出器で受光して情報の再生を行う。しかし、この様な装置では、反射光の一部が半導体レーザに帰還するとノイズがレーザ光に混入し情報の再生品質を劣化させるという課題があり、特に出力の低い再生動作時に問題となる。【０００４】
この為、半導体レーザには、高出力が求められると同時に、低出力時に低ノイズであることが求められる。【０００５】
この帰還光によるノイズを抑制する方法としては、半導体レーザを駆動する直流電流に高周波電流を重畳するという方法が知られている。【０００６】
図６は、従来の光学的情報再生装置（光ディスクドライブ）のブロック図である（特開２００４−１１０９７５号公報参照）。【０００７】
光ディスクドライブ５１は、図示しない半導体レーザと光検出器を備え、半導体レーザで発生したレーザ光を情報記録媒体（ディスク）５２に照射し、ディスク５２からの反射光を光検出器で受光してディスク５２に記録された情報を電気信号に変換する。変換された電気信号は、図示しない信号ＬＳＩによりデジタルデータに変換されるが、反射光の一部が半導体レーザに帰還するとレーザ光にノイズが混入し、再生される情報のジッタを悪化させる。【０００８】
これを改善するため、ＬＤドライバ５３には、半導体レーザに駆動電流を供給する際に、駆動電流に所定の周波数と振幅値の高周波成分を重畳する機能が備えられている。これにより、シングルモードレーザをマルチモード化することによりジッタを抑制することが可能となっている。高周波電流の重畳によるノイズの抑制のレベルは、ＬＤドライバ５３内部に備えるレジスタ５４によって設定する、高周波の周波数と振幅により変動する。そのため、ジッタ計測部５５でジッタを計測しながら最もジッタが小さくなる周波数と振幅を探索して設定する。【０００９】
一般に、ジッタを最小にする最適周波数や振幅は、光ディスクドライブ５１の個体バラツキにより異なるが、ジッタを計測しながら最適周波数と振幅を設定し直すため、個々の光ディスクドライブ毎に最適な設定を誤差なく設定することが可能である。
【先行技術文献】
【特許文献】
【００１０】
【特許文献１】特開２００４−１１０９７５号公報
【発明の概要】
【発明が解決しようとする課題】
【００１１】
しかしながら、上記従来の構成では以下の様な課題があった。【００１２】
重畳された高周波電流の周波数と振幅はジッタに対してのみ最適になる様に設定されている。そのため、ディスク５２が再生専用でなく情報記録が可能なタイプである場合、高周波電流が重畳された駆動電流の振幅値が、所定の値より大きい状態でディスク５２の再生を行うことになる。その場合、レーザ光により記録媒体に記録された情報がダメージを受けることがある。【００１３】
それは、高周波が重畳された駆動電流で半導体レーザを駆動すると、レーザ光の光強度は平均レベルに対して一部の強度が著しく高く鋭いピークを有する波形になり、ピーク点の光強度のレーザ光により記録済みの情報が変質する再生光劣化が発生するためである。【００１４】
特に、近年の高速記録・再生の傾向が進むに伴なって、再生時の光量が増大するため、より再生光劣化が発生しやすくなっている。【００１５】
一方、高速再生時の再生光劣化を防止するために重畳振幅を小さく設定しすぎると低速再生時のジッタが悪化するので、ジッタを抑制しつつ再生光劣化を防止することは出来ないという課題があった。【００１６】
本発明は、記録媒体に記録された情報が、レーザ光によりダメージを受けることを抑制できる信頼性の高い情報記録再生装置、光学的情報再生装置の情報再生方法、プログラム、及び記録媒体を提供することを目的とする。
【課題を解決するための手段】
【００１７】
第１の本発明は、  
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定する、光学的情報再生装置である。【００１８】
また、第２の本発明は、
前記制御部は、前記情報記録媒体から情報を読み出すための再生速度を決定する機能及び前記情報記録媒体の種類を判別する機能の内、少なくとも何れか一つの機能を有し、
前記重畳の対象となる電流の大きさは、ｉ）前記制御部により前記判別された前記情報記録媒体の種類、ｉｉ）前記制御部により前記決定された前記再生速度及び、ｉｉｉ）前記情報記録媒体の情報記録面の内どの情報記録面が再生されるのかを示す再生層情報の内、少なくとも何れか一つの情報に基づいて決定される、上記第１の本発明の光学的情報再生装置である。【００１９】
また、第３の本発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第２の本発明の光学的情報再生装置である。【００２０】
これにより、例えば、情報記録媒体の種類と再生速度に応じて高周波電流のパラメータを決定するので、再生光劣化を防止可能で、且つジッタの少ない再生が可能な光学的情報再生装置を提供できる。【００２１】
また、例えば、本発明の光学的情報再生装置は、情報記録媒体の種類が、再生専用、１回のみ記録可能、繰り返し記録可能のうちのいずれであるかを判別し、前記判別結果に基づいて前記高周波電流のパラメータを決定しても良い。【００２２】
これにより、例えば、情報記録媒体の種類によらず情報記録媒体の再生光劣化を防止可能な光学的情報再生装置を提供できる。【００２３】
また、第４の本発明は、
前記高周波電流のパラメータは、前記レーザ光の光強度のピークレベル値と平均レベル値との比が、予め定められた値以下になる様に、設定される、上記第３の本発明の光学的情報再生装置である。【００２４】
また、第５の本発明は、
前記予め定められた値は、前記情報記録媒体が再生される際に、前記レーザ光によって、前記情報記録媒体の記録情報にダメージを与えないための閾値である、上記第４の本発明の光学的情報再生装置である。【００２５】
また、第６の本発明は、
前記予め定められた値は、前記情報記録媒体の種類によって、前記再生速度によって、又は、前記情報記録媒体のどの情報記録面を再生するのかによって、異なる、上記第５の本発明の光学的情報再生装置である。【００２６】
これにより、例えば、情報記録媒体の種類、再生速度、又は、再生対象となる情報記録面によらず、情報記録媒体の再生光劣化を防止可能な光学的情報再生装置を提供できる。【００２７】
また、第７の本発明は、
前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第４〜６の何れかの本発明の光学的情報再生装置である。【００２８】
これにより、例えば、光学的情報再生装置の起動時の学習を不要として立ち上がり時間の短い光学的情報再生装置を提供できる。【００２９】
また、第８の本発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第４，６，又は７の本発明の光学的情報再生装置である。【００３０】
これにより、例えば、再生光劣化を防止しつつ、再生光劣化の発生しない再生専用の記録媒体についてはジッタの少ない再生が可能な光学的情報再生装置を提供できる。【００３１】
また、第９の本発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第４，６，又は７の本発明の光学的情報再生装置である。【００３２】
これにより、例えば、再生光劣化を防止しつつ、１回のみ情報記録可能な記録媒体に対してはジッタの少ない再生が可能な光学的情報再生装置を提供できる。  【００３３】
また、第１０の本発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第８又は９の本発明の光学的情報再生装置である。【００３４】
これにより、例えば、光強度のピークレベルを下げることができ、情報記録媒体の再生光劣化を防止可能な光学的情報再生装置を提供できる。【００３５】
また、第１１の本発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第８又は９の本発明の光学的情報再生装置である。【００３６】
これにより、例えば、光強度のピークレベルを下げることができ、情報記録媒体の再生光劣化を防止可能な光学的情報再生装置を提供できる。【００３７】
また、第１２の本発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出される、上記第７の本発明の光学的情報再生装置である。【００３８】
これにより、例えば、ジッタの抑制効果が弱い、最小の振幅設定値を精度良く設定して設定誤差の影響を小さくしつつ、その他の設定値の設定工数を削減して低コストを実現可能な光学的情報再生装置を提供できる。【００３９】
また、第１３の本発明は、
前記制御部は、前記情報記録媒体に記録された前記情報の再生中に前記再生速度を変更する場合、又は、前記再生される前記情報記録面を変更する場合、前記決定されたパラメータを変更する、上記第４の本発明の光学的情報再生装置である。【００４０】
これにより、例えば、情報記録媒体の再生速度の変更、又は、再生される情報記録面の変更に応じて高周波電流のパラメータを変更するので、再生光劣化を防止可能で、且つ、ジッタの少ない再生が可能な光学的情報再生装置を提供できる。【００４１】
また、第１４の本発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第１３の本発明の光学的情報再生装置である。【００４２】
これにより、例えば、再生中に再生速度を上げる場合にも再生光劣化を防止可能な光学的情報再生装置を提供できる。【００４３】
また、第１５の本発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第１３の本発明の光学的情報再生装置である。【００４４】
これにより、例えば、再生中に再生速度を下げる場合にも再生光劣化を防止可能な光学的情報再生装置を提供できる。【００４５】
また、例えば、本発明の光学的情報再生装置は、半導体レーザの発振波長が、３９０ｎｍ以上４５０ｎｍ以下であっても良い。【００４６】
これにより、例えば、波長が３９０ｎｍ以上４５０ｎｍの範囲のレーザ光により情報の再生を行う高密度な情報記録媒体に対する再生中であっても、再生光劣化を防止可能な光学的情報再生装置を提供できる。【００４７】
また、第１６の本発明は、  
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備えた、光学的情報再生装置の情報再生方法である。【００４８】
また、第１７の本発明は、
前記制御部は、前記情報記録媒体から情報を読み出す再生速度を決定する機能及び前記情報記録媒体の種類を判別する機能の内、少なくとも何れか一方の機能を有し、
前記重畳の対象となる電流の大きさは、ｉ）前記制御部により前記判別された前記情報記録媒体の種類、ｉｉ）前記制御部により前記決定された前記再生速度、及びｉｉｉ）前記情報記録媒体の情報記録面の内どの情報記録面が再生されるのかを示す再生層情報の内、少なくとも何れか一つの情報に基づいて決定される、上記第１６の本発明の光学的情報再生装置の情報再生方法である。【００４９】
また、第１８の本発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第１７の本発明の光学的情報再生装置の情報再生方法である。【００５０】
これにより、例えば、情報記録媒体の種類と再生速度に応じて高周波電流のパラメータを決定するので、再生光劣化を防止可能で、且つジッタの少ない再生が可能な、光学的情報再生装置における情報再生方法を提供できる。【００５１】
また、例えば、本発明の光学的情報再生装置における情報再生方法は、情報記録媒体の種類が、再生専用、１回のみ記録可能、繰り返し記録可能のうちのいずれであるかを判別し、前記判別結果に基づいて前記高周波電流のパラメータを決定しても良い。【００５２】
これにより、例えば、情報記録媒体の種類によらず情報記録媒体の再生光劣化を防止可能な、光学的情報再生装置における情報再生方法を提供できる。【００５３】
また、第１９の本発明は、
前記高周波電流のパラメータは、前記レーザ光の光強度のピークレベル値と平均レベル値との比が、予め定められた値以下になる様に、設定される、上記第１８の本発明の光学的情報再生装置の情報再生方法である。【００５４】
また、第２０の本発明は、
前記予め定められた値は、前記情報記録媒体が再生される際に、前記レーザ光によって、前記情報記録媒体の記録情報にダメージを与えないための閾値である、上記第２１の本発明の光学的情報再生装置の情報再生方法である。【００５５】
また、第２１の本発明は、
前記予め定められた値は、前記情報記録媒体の種類によって、前記再生速度によって、又は、前記情報記録媒体のどの情報記録面を再生するのかによって、異なる、上記第２０の本発明の光学的情報再生装置の情報再生方法である。【００５６】
これにより、例えば、情報記録媒体の種類、再生速度、又は、再生対象となる情報記録面によらず情報記録媒体の再生光劣化を防止可能な、光学的情報再生装置における情報再生方法を提供できる。【００５７】
また、第２２の本発明は、
前記情報記録再生装置は、前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第１９〜２１の何れかの本発明の光学的情報再生装置の情報再生方法である。【００５８】
これにより、例えば、光学的情報再生装置の起動時の学習を不要として立ち上がり時間の短い、光学的情報再生装置における情報再生方法を提供できる。【００５９】
また、第２３の本発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第１９、２１、又は２２の本発明の光学的情報再生装置の情報再生方法である。【００６０】
これにより、例えば、再生光劣化を防止しつつ、再生光劣化の発生しない再生専用の記録媒体についてはジッタの少ない再生が可能な、光学的情報再生装置における情報再生方法を提供できる。【００６１】
また、第２４の本発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第１９、２１、又は２２の本発明の光学的情報再生装置の情報再生方法である。【００６２】
これにより、例えば、再生光劣化を防止しつつ、１回のみ情報記録可能な記録媒体に対してはジッタの少ない再生が可能な、光学的情報再生装置における情報再生方法を提供できる。【００６３】
また、第２５の本発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第２３又は２４の本発明の光学的情報再生装置の情報再生方法である。【００６４】
これにより、例えば、光強度のピークレベルを下げることができ、情報記録媒体の再生光劣化を防止可能な、光学的情報再生装置における情報再生方法を提供できる。【００６５】
また、第２６の本発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第２３又は２４の本発明の光学的情報再生装置の情報再生方法である。【００６６】
これにより、例えば、光強度のピークレベルを下げることができ、情報記録媒体の再生光劣化を防止可能な、光学的情報再生装置における情報再生方法を提供できる。【００６７】
また、第２７の本発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出する、上記第２２の本発明の光学的情報再生装置の情報再生方法である。【００６８】
これにより、例えば、ジッタの抑制効果が弱い最小の振幅設定値を精度良く設定して設定誤差の影響を小さくしつつ、その他の設定値の設定工数を削減して低コストを実現可能な、光学的情報再生装置における情報再生方法を提供できる。【００６９】
また、第２８の本発明は、
前記制御部は、前記情報記録媒体に記録された前記情報の再生中に前記再生速度を変更する場合、又は、前記再生される前記情報記録面を変更する場合、前記決定されたパラメータを変更する、上記第１９の本発明の光学的情報再生装置の情報再生方法である。【００７０】
これにより、例えば、情報記録媒体の再生速度の変更、又は、再生される情報記録面の変更に応じて高周波電流のパラメータを変更するので、再生光劣化を防止可能で、且つジッタの少ない再生が可能な、光学的情報再生装置における情報再生方法を提供できる。【００７１】
また、第２９の本発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第２８の本発明の光学的情報再生装置の情報再生方法である。【００７２】
これにより、例えば、再生中に再生速度を上げる場合にも再生光劣化を防止可能な、光学的情報再生装置における情報再生方法を提供できる。【００７３】
また、第３０の本発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第２８の本発明の光学的情報再生装置の情報再生方法である。【００７４】
これにより、例えば、再生中に再生速度を下げる場合にも再生光劣化を防止可能な、光学的情報再生装置における情報再生方法を提供できる。【００７５】
また、例えば、本発明の光学的情報再生装置における情報再生方法は、半導体レーザの発振波長が、３９０ｎｍ以上４５０ｎｍ以下であっても良い。【００７６】
これにより、例えば、波長が３９０ｎｍ以上４５０ｎｍの範囲のレーザ光により情報の再生を行う高密度な情報記録媒体に対する再生中であっても、再生光劣化を防止可能な、光学的情報再生装置における情報再生方法を提供できる。【００７７】
また、第３１の本発明は、
上記第１の本発明の光学的情報再生装置の、前記高周波電流の重畳の対象となる電流の大きさに基づいて、前記高周波電流のパラメータを決定する制御部、としてコンピュータを機能させるプログラムである。【００７８】
また、第３２の本発明は、
上記第１６の本発明の光学的情報再生装置の情報再生方法の、前記制御部により、前記高周波電流の重畳の対象となる電流の大きさに基づいて、前記高周波電流のパラメータを決定する工程をコンピュータに実行させるプログラムである。【００７９】
また、第３３の本発明は、
上記第３１又は、３２の本発明のプログラムを記録した記録媒体であって、コンピュータにより処理可能な記録媒体である。【００８０】
上記構成により、再生光劣化が発生せずジッタも良好な、高性能かつ高信頼性の情報再生装置を提供できる。
【発明の効果】
【００８１】
本発明によれば、記録媒体に記録された情報が、レーザ光によりダメージを受けることを抑制できる信頼性の高い光学的情報再生装置、光学的情報再生装置の情報再生方法、プログラム、及び記録媒体を提供出来る。      
【図面の簡単な説明】
【００８２】
【図１】本発明の実施の形態における光学的情報再生装置のブロック図
【図２】本発明の実施の形態における光学的情報再生装置のレーザ光強度の時間変化を示す波形図
【図３】本発明の実施の形態における光学的情報再生装置のレーザ光強度のピークレベル値と平均レベル値との比と、レーザ出力との関係図
【図４】本発明の実施の形態における光学的情報再生装置の高周波電流の、周波数設定値と高周波重畳用周波数との関係図
【図５】本発明の実施の形態における光学的情報再生装置の高周波電流の、振幅設定値と高周波重畳用振幅との関係図
【図６】従来の光学的情報再生装置のブロック図
【発明を実施するための形態】
【００８３】
以下本発明の実施の形態について、図面を参照しながら説明する。
【００８４】
（実施の形態）
図１は、本発明の一実施の形態における光学的情報再生装置のブロック図である。
【００８５】
Ｉ．図１を参照しながら、本実施の形態の光学的情報再生装置の構成を説明する。
【００８６】
光ディスク１は、デジタル情報が記録される情報記録媒体であり、図示しない情報記録面を一つもしくは複数備える。
【００８７】
スピンドルモータ２は、光ディスク１を任意の回転数で駆動するモータである。光ピックアップ３は、レーザ光を光ディスク１に照射し反射光を電気信号に変換することにより、光ディスク１に記録された情報をアナログ信号として読み出す装置である。信号処理部４は、光ピックアップ３から読み出された信号をデジタル信号に変換する手段である。制御部５は、一つ又は複数のＬＳＩから構成され、信号処理部４から送られるデジタル信号を処理する他、光ピックアップ３から照射するレーザ光の強度やスピンドルモータ２の回転数を制御する手段である。
【００８８】
制御部５がスピンドルモータ２の回転数を変更すると、レーザ光が光ディスク１を走査する線速度が変更されるので、光ディスク１から情報を読み出す再生（又は記録）速度を変更することができる。制御部５は速度に応じてレーザの光強度の調整も行う。
【００８９】
次に、光ピックアップ３の内部構成について説明する。
【００９０】
半導体レーザ６は、波長３９０ｎｍ以上４５０ｎｍ以下のレーザ光、望ましくは波長４０５ｎｍの波長のレーザ光を照射する素子である。レーザ駆動部７は、半導体レーザ６に駆動電流を供給して半導体レーザ６を発光させる装置である。また、レーザ駆動部７は、基本となる駆動電流（以下、基本駆動電流と呼ぶ）に高周波電流を重畳して、半導体レーザ６に供給するための駆動電流を生成する機能を有する。
【００９１】
本実施の形態の「基本駆動電流」は、本発明の「重畳の対象となる電流」の一例である。
【００９２】
半導体レーザ６から照射されるレーザ光は、光ディスク１に向かう往路光の一部が前光用ビームスプリッタ８で分離され前光モニタ９に入射する。制御部５は前光モニタ９からのモニタ信号に基づき、レーザ光の強度が所定の値になる様にレーザ駆動部７を制御する。前光用ビームスプリッタ８を通過した往路光は、復路光を分離するビームスプリッタ１０を通過して、コリメータレンズ１１で平行光に変換される。
【００９３】
コリメータレンズ１１は図示しないアクチュエータを備え、光軸方向に移動可能に構成され、球面収差補正機能を有する。
【００９４】
光ディスク１が複数の情報記録面を備える場合には、再生を行う情報記録面から光ディスク１のレーザ入射表面までの厚みの違いにより球面収差が発生するため、ある情報記録面の再生から他の情報記録面の再生に切り替える際には、発生する球面収差量の差を補正するためにコリメータレンズ１１を光軸方向に移動させる。
【００９５】
コリメータレンズ１１により平行光に変換された往路光は立ち上げミラー１２で反射し対物レンズ１３により集光されて光ディスク１の図示しない情報記録面に合焦する。
【００９６】
光ディスク１からの反射光（復路光）は光ピックアップ３内を往路光と逆に進行し、対物レンズ１３、立ち上げミラー１２、コリメータレンズ１１を通過し、ビームスプリッタ１０で反射し光検出器１４に入射しＲＦ信号やサーボ信号に変換される。
【００９７】
光ディスク１からの反射光は殆どが光検出器１４に戻るが、残りの一部が半導体レーザ６に戻り、これによりレーザ光にノイズが混入する。ノイズが混入すると信号処理部４によりＲＦ信号がデジタル信号に変換される際にジッタが増加し再生される情報の品質を悪化させる。
【００９８】
これを防止するため、半導体レーザ６にレーザ駆動部７が駆動電流を供給する際に、基本駆動電流に所定の周波数と振幅値の高周波成分を重畳し、シングルモードレーザをマルチモード化してジッタを抑制する。レーザ駆動部７は内部に電流制御部１５、Ｄ／Ａ変換器１６、オシレータ１７を備える。
【００９９】
制御部５は、電流制御部１５に半導体レーザ６の基本駆動電流を生成させるとともに、基本駆動電流に重畳する高周波電流の振幅と周波数をそれぞれ設定する設定値データ（図４，５参照）をＤ／Ａ変換器１６に送信する。Ｄ／Ａ変換器１６はその設定値データをアナログ電圧信号に変換しオシレータ１７に入力する。オシレータ１７は設定された周波数及び振幅の高周波を生成し、生成された高周波電流は、図示しないコンデンサを介して基本駆動電流にカップリングされる。
【０１００】
ここで、高周波電流のパラメータである振幅と周波数をそれぞれ設定する設定値データは、メモリである記憶部１８に、再生速度と光ディスク１の種類に応じて個別に保存されている。制御部５は、再生速度と光ディスク１の種類に応じて、最適な値（振幅と周波数）を選択し、これに対応する設定値データを記憶部１８から読み出してレーザ駆動部７に、その読み出した設定値データを送信する。
【０１０１】
尚、再生速度と光ディスク１の種類に対応した値（振幅と周波数）をどのようにして決めているかについては、更に後述する。
【０１０２】
また、高周波電流のパラメータには周波数が０の場合を含んでいても良い。この点については、ＶＩＩＩで更に後述する。
【０１０３】
ＩＩ．次に本実施の形態の光学的情報再生装置の動作を説明すると同時に、本発明の一実施の形態である光学的情報再生装置の情報再生方法について説明する。
【０１０４】
光学的情報再生装置に光ディスク１が挿入され、図示しないローディング機構により回転駆動可能な位置にセットされると、制御部５は所定の回転数で光ディスク１を駆動し光ディスク１に最内周に書かれている光ディスク１自身の種類（再生専用、１回のみ記録可能、繰り返し記録可能）や対応可能な再生速度を光ピックアップ３により読み取る。
【０１０５】
次に、光ディスク１への情報の記録又は再生動作をユーザの指示に従って行うが、本実施の形態においては主として再生時における動作を説明する。
【０１０６】
光学的情報再生装置が光ディスク１に記録された情報の再生を行う場合、制御部５は光ディスク１の挿入時に読み込まれた光ディスク１の対応可能な再生速度から、適切な速度を選定（例えば最も速い速度）し、対応する回転速度でスピンドルモータ２を駆動し、ディスク１を回転させる。
【０１０７】
また、ディスク１の種類（再生専用、１回のみ記録可能、繰り返し記録可能）と再生速度に応じてレーザ光の光強度とレーザ駆動部７が基本駆動電流に重畳すべき高周波電流のパラメータ（周波数と振幅値）に対応した設定値データを記憶部１８から読み出して設定する。
【０１０８】
ここで、基本駆動電流の大きさは、ｉ）制御部５により判別された光ディスク１の種類、ｉｉ）制御部５により決定された再生速度、及びｉｉｉ）光ディスク１が複数の情報記録面を有する光ディスクの場合にどの情報記録面を再生するかを示す再生層情報の内、少なくとも何れか一つの情報に基づいて決定される。
【０１０９】
図２は、本発明の実施の形態における光学的情報再生装置のレーザ光強度の時間変化を示す波形図である。
【０１１０】
高周波成分が重畳された駆動電流により発光したレーザ光の光強度の波形は、高周波の重畳された駆動電流の周波数に相当する時間間隔で鋭いピークを持ち、そのピークレベル値はレーザ光の平均レベル値より大幅に高くなっている。また、ピークレベル値は高周波の重畳された駆動電流の振幅の大きさと重畳周波数に応じて変動する。
【０１１１】
このピークレベル値が、所定値より高いと既に記録されている情報を消去してしまう（再生光劣化）場合があるため、再生光劣化を防止するためには、所定値以下になる様、重畳する高周波電流のパラメータを設定する必要がある。
【０１１２】
ここで、再生光劣化が発生しないピークレベル値は、光ディスク１の種類、再生速度、又は、複数の情報記録面を有する光ディスクの場合にどの情報記録面を再生するかにより異なる。一方、再生光劣化を抑えるためにピークレベル値を低くしすぎると、高周波電流の重畳の効果が低くなり、レーザノイズが増加しジッタが悪化してしまう。
【０１１３】
このため本発明の実施の形態では、光ディスク１の種類（再生専用、繰り返し記録可能、１回のみ記録可能）、再生速度、又は、複数の情報記録面を有する光ディスクの場合にどの情報記録面を再生するかにより、重畳する高周波電流のパラメータである周波数と振幅の内、少なくとも何れか一方の値を決定する。
【０１１４】
そして、高周波電流のパラメータを決定する際に、レーザ光の光強度のピークレベル値と平均レベル値との比（ピークレベル値／平均レベル値）が所定の閾値以下となる様に、高周波電流のパラメータを設定する。ここで、所定の閾値は、光ディスク１の記録情報が再生される際に、レーザ光によって、その記録情報にダメージを与えないための閾値である。また、所定の閾値は、光ディスクの種類によって、再生速度によって、又は、光ディスク１のどの情報記録面を再生するのかによって、異なるため、予め実験等により決定しておくことが望ましい。
【０１１５】
高周波電流のパラメータと、所定の閾値の関係について、以下に、具体的に説明する。
【０１１６】
ＩＩＩ．次に、制御部５の光ディスク判別機能により、再生される光ディスク１が記録可能（繰り返し記録可能又は１回のみ記録可能）な種類であると判別されて、２倍速で再生を行うことが決定された場合の動作について説明する。
【０１１７】
本実施の形態の光学的情報再生装置では、レーザ光の光強度のピークレベル値と平均レベル値との比が、所定の閾値（本実施の形態では、この所定の閾値は、例えば７．７とする）以下となる様に、高周波電流のパラメータを設定する。ここで、閾値７．７は、実験により予め決定した値である。
【０１１８】
この閾値７．７は、光ディスク１を、２倍速再生する際に再生光劣化が発生しない閾値であり、レーザ特性のばらつきや温度特性を含めてもこの閾値を超えない様に、高周波電流のパラメータを設定する。
【０１１９】
図３は、本発明の実施の形態における光学的情報再生装置のレーザ光強度のピークレベル値と平均レベル値の比（ピークレベル値／平均レベル値）と、レーザ出力（平均レベル値）との関係図である。
【０１２０】
図３の曲線３１は、レーザ駆動部７に、重畳用の高周波電流の振幅値（以下、これを高周波重畳用振幅値と呼ぶ）として５ｍＡｐｐ、及び重畳用の高周波電流の周波数（以下、これを高周波重畳用周波数と呼ぶ）として４００ＭＨｚに対応する設定値データ（振幅設定値と周波数設定値）を入力し、レーザ出力を０．１〜０．８ｍＷの範囲で変化させたときの、ピークレベル値／平均レベル値の値をプロットしたものである。
【０１２１】
また、図３の曲線３２は、レーザ駆動部７に、高周波重畳用振幅値として３．３ｍＡｐｐ、及び高周波重畳用周波数として４００ＭＨｚに対応する設定値データを入力し、レーザ出力を０．１〜０．８ｍＷの範囲で変化させたときの、ピークレベル値／平均レベル値の値をプロットしたものである。
【０１２２】
また、図３の曲線３３は、レーザ駆動部７に、高周波重畳用振幅値として５ｍＡｐｐ、及び高周波重畳用周波数として４６０ＭＨｚに対応する設定値データを入力し、レーザ出力を０．１〜０．８ｍＷの範囲で変化させたときの、ピークレベル値／平均レベル値の値をプロットしたものである。
【０１２３】
本実施の形態の光学的情報再生装置では、光ディスク１の種類が、記録可能（１回のみ記録可能もしくは繰り返し記録可能）な光ディスクであり、再生条件は２倍速再生である場合は、レーザ出力は、０．３ｍＷを使用することが予め設定されている。
【０１２４】
この場合、記憶部１８から読み出されるデータは、高周波重畳用振幅値として５ｍＡｐｐ、及び高周波重畳用周波数として４００ＭＨｚに対応する設定値データである（図３の曲線３１参照）。その理由は次の通りである。
【０１２５】
再生光劣化を防止するためには、選択対象となる設定値データは、レーザ出力が０．３ｍＷの時に、ピークレベル値／平均レベル値が、７．７以下であることが要求される。曲線３１上の点３１ａと曲線３２上の点３２ａは、ピークレベル値／平均レベル値がそれぞれ６．６と５．４であるので、閾値７．７以下の条件を満足する（図３参照）。
【０１２６】
一方、ピークレベル値／平均レベル値が大きいほど（例えば、高周波重畳用振幅値をより大きく設定する）、ジッタ抑制の効果が高いので、曲線３１上の点３１ａに対応する設定値データが選択される。
【０１２７】
尚、曲線３１は、高周波重畳用周波数を４００ＭＨｚとし、温度特性等のばらつきを考慮した場合において、ピークレベル値／平均レベル値が７．７以下となる複数の曲線の内、最大の高周波重畳用振幅値（５ｍＡｐｐ）を設定した時に得られる曲線である。
【０１２８】
ＩＶ．次に、制御部５の光ディスク判別機能により、再生される光ディスク１が記録可能（繰り返し記録可能又は１回のみ記録可能）な種類であると判別されて、４倍速で再生を行うことが決定された場合の動作について説明する。
【０１２９】
本実施の形態の光学的情報再生装置では、レーザ光の光強度のピークレベルと平均レベルとの比が、２倍速再生より小さい所定の閾値（本実施の形態では、この所定の閾値は、例えば５とする）以下となる様に、高周波電流のパラメータを設定する。
【０１３０】
この閾値５は、光ディスク１を４倍速再生する際に再生光劣化が発生しない閾値である。ここで、閾値５は、実験により予め決定した値である。
【０１３１】
高速再生時には、光強度の平均レベル値を高くする必要がありピークレベル値も平均レベル値の増加に応じて高くなる。このため再生光劣化を防止するためにはピークレベル値が低くなる様に、高周波電流のパラメータを変更する必要がある。
【０１３２】
従って、本実施の形態の光学的情報再生装置においては、高周波電流のパラメータは、ピークレベル値と平均レベル値との比が、２倍速再生時より小さくし、レーザ特性のばらつきや温度特性のばらつきを含めても、この比が５以下になる様に設定する。
【０１３３】
本実施の形態の光学的情報再生装置では、光ディスク１の種類が、記録可能（１回のみ記録可能もしくは繰り返し記録可能）な光ディスクであり、再生条件は４倍速再生である場合は、レーザ出力は、０．６ｍＷを使用することが予め設定されている。
【０１３４】
この場合、記憶部１８から読み出されるデータは、高周波重畳用振幅値として３．３ｍＡｐｐ、及び高周波重畳用周波数として４００ＭＨｚに対応する設定値データである（図３の曲線３２参照）。その理由は次の通りである。
【０１３５】
再生光劣化を防止するためには、選択対象となる設定値データは、レーザ出力が０．６ｍＷの時に、ピークレベル値／平均レベル値が、５以下であることが要求される。
【０１３６】
曲線３２上の点３２ｂは、ピークレベル値／平均レベル値が４であるので、閾値５以下の条件を満足する（図３参照）。しかし、曲線３１上の点３１ｂは、ピークレベル値／平均レベル値が５．６であるので、閾値５以下の条件を満足しない（図３参照）。
【０１３７】
即ち、仮に４倍速再生を２倍速再生と同じ高周波電流のパラメータ（高周波重畳用振幅５ｍＡｐｐ、高周波重畳用周波数４００ＭＨｚ）で行った場合には、ピークレベル値と平均レベル値の比が５．６であり許容値５を超えて再生光劣化を起こしてしまう。
【０１３８】
従って、曲線３２上の点３２ｂに対応する設定値データが選択される。
【０１３９】
尚、曲線３２は、高周波重畳用周波数を４００ＭＨｚとし、温度特性等のばらつきを考慮した場合において、ピークレベル値／平均レベル値が閾値５以下となる複数の曲線の内、最大の高周波重畳用振幅値（３．３ｍＡｐｐ）を設定した時に得られる曲線である。
【０１４０】
本実施の形態においては、このように再生速度の違いにより高周波電流のパラメータを変更するので、再生光劣化を防止できる信頼性の高い光学的情報再生装置を実現可能である。
【０１４１】
更に、上記の様に、ピークレベル値／平均レベル値が予め定められた閾値以下になる様にパラメータを設定する場合、ジッタ抑制の効果も考慮して、最大の高周波重畳用振幅値を設定している。
【０１４２】
また、光強度のピークレベル値と平均レベル値との比を小さくする際には、重畳振幅を変更せずに重畳周波数を上昇させても同等の効果を得ることができる。
【０１４３】
例えば、再生される光ディスク１が記録可能（繰り返し記録可能又は１回のみ記録可能）な種類であり４倍速で再生を行う場合に、高周波重畳用振幅は５ｍＡｐｐ、高周波重畳用周波数を４００ＭＨｚから４６０ＭＨｚに上げることで、レーザ光強度のピークレベル値と平均レベル値の比を下げることができる（図３の曲線３３参照）。
【０１４４】
この場合、図３の曲線３３が示す様に、レーザ出力が０．６ｍＷの時に、ピークレベル値／平均レベル値が３．７であることから、ピークレベル値／平均レベル値が閾値５以下でなければならないという条件を満たしている。
【０１４５】
また、ピークレベル値と平均レベル値の比を下げるために重畳振幅低下と重畳周波数上昇を組み合わせても良い。
【０１４６】
Ｖ．次に、再生される光ディスク１が再生専用である場合の動作について説明する。
【０１４７】
この場合は再生光劣化が発生しないため、レーザ光強度のピークレベル値／平均レベル値の比を小さくする必要はなく、例えば高周波重畳用振幅７ｍＡｐｐ、高周波重畳用周波数４００ＭＨｚとする。或いはジッタの劣化が許容できる範囲内であれば、高周波重畳用振幅を記録可能な光ディスクの２倍速再生時の振幅（５ｍＡｐｐ）と同じにして、予め設定する必要のある設定値データの個数を削減してもよい。
【０１４８】
また、記録可能な光ディスクにおいては、情報の消去が不可能な、１回のみ記録可能なタイプより、情報の消去が可能な繰り返し記録可能なタイプの方が再生光劣化しやすい。このため、繰り返し記録可能な光ディスクにおいては光強度のピークレベルと平均レベルの比を例えば４．５以下と小さくしても良く、より信頼性の高い光学的情報再生装置を提供できる。
【０１４９】
ＶＩ．次に、再生動作中に再生速度を変更する際の動作について説明する。
【０１５０】
再生動作中に再生速度を上げることは、例えば光学的情報再生装置が再生を一時的に停止して省電力のため光ディスク１を低回転で駆動している状態から、再び再生を開始するため光ディスク１の回転数を上げて高速度状態に変わる際等に実施される。
【０１５１】
再生動作中に再生速度を上げる際の動作は、次の手順で行われる。
【０１５２】
即ち、先ず、制御部５がスピンドルモータの回転数を増加させる（工程１０１）。
【０１５３】
次に、高周波電流のパラメータの設定を、変更後の速度にあわせて変更し、光強度のピークレベル値と平均レベル値の比を減少させる（工程１０２）。
【０１５４】
その後、レーザの光強度を増加する（工程１０３）。
【０１５５】
高周波電流のパラメータの設定を変える前にレーザの光強度を増加すると、レーザの光強度のピークレベルが再生光劣化を起こすレベルを超えてしまうが、上記手順を踏むことにより再生光劣化を起こすレベルを超えることを防止することができ信頼性の高い光学的情報再生装置を提供できる。
【０１５６】
また、再生動作中に再生速度を下げることは、光ディスク１が高回転で駆動される際に発生する振動によって再生信号の品質が悪化している場合等に実施される。
【０１５７】
再生動作中に再生速度を下げる際の動作は、次の手順で行われる。
【０１５８】
即ち、先ず、制御部５がスピンドルモータの回転数を低下させる（工程２０１）。
【０１５９】
次に、レーザの光強度を低下させる（工程２０２）。
【０１６０】
その後、高周波電流のパラメータの設定を変更後の速度にあわせて変更し、光強度のピークレベルと平均レベルの比を増加させる（工程２０３）。
【０１６１】
上記工程２０２〜２０３の動作を、図３を用いて具体的に説明する。
【０１６２】
工程２０２において、レーザ出力を０．６ｍＷから０．３ｍＷに低下させることは、図３の曲線３２上の点３２ｂ（レーザ出力が０．６ｍＷ、高周波重畳用振幅値が３．３ｍＡｐｐ、高周波重畳用周波数が４００ＭＨｚ）から、点３２ａ（レーザ出力が０．３ｍＷ、高周波重畳用振幅値が３．３ｍＡｐｐ、高周波重畳用周波数が４００ＭＨｚ）に遷移することに対応する。
【０１６３】
次に、工程２０３において、ピークレベル値／平均レベル値を５．４から６．６に増加させることは、図３の曲線３２上の点３２ａから、曲線３１上の点３１ａ（レーザ出力が０．３ｍＷ、高周波重畳用振幅値が５ｍＡｐｐ、高周波重畳用周波数が４００ＭＨｚ）に遷移することに対応する。
【０１６４】
レーザの光強度を低下させる前に光強度のピークレベルと平均レベルの比を増加させると、レーザの光強度のピークレベルが再生光劣化を起こすレベルを超えてしまうが、上記手順により再生光劣化を起こすレベルを超えることを防止することができ信頼性の高い光学的情報再生装置を提供できる。
【０１６５】
ＶＩＩ．次に、本実施の形態の光学的情報再生装置の記憶部１８に、高周波電流のパラメータとして、予め記憶されている設定値データ（周波数設定値と、振幅設定値）について、図４，５を用いて説明する。
【０１６６】
図４は、本発明の実施の形態における光学的情報再生装置の高周波電流の周波数設定値と高周波重畳用周波数の関係図、図５は、本発明の実施の形態における光学的情報再生装置の高周波電流の振幅設定値と高周波重畳用振幅の関係図である。
【０１６７】
光ディスクの種類と再生速度毎に設定された高周波重畳用周波数と高周波重畳用振幅に対応する周波数設定値と振幅設定値が、記憶部１８に予め記憶されている。
【０１６８】
制御部５は、セットされた光ディスク１の種類を判定して、再生速度を決定した結果に対応する高周波電流のパラメータとして、上記の周波数設定値と振幅設定値（設定値データ）を記憶部１８から選択し、Ｄ／Ａ変換器１６へ出力する。これら設定値データを制御部５から受け取ったＤ／Ａ変換器１６は、対応する周波数と振幅をオシレータ１７に発生させる。
【０１６９】
しかしながら、設定値データ（周波数設定値、振幅設定値）が同一であっても、実際の高周波重畳用周波数や高周波重畳用振幅は、レーザ駆動部７の特性ばらつき等の影響により同じにならない。更にまた、基本駆動電流と、高周波重畳用周波数及び振幅等により定まる、光強度のピークレベル値と平均レベル値との比やジッタは、半導体レーザ６の特性ばらつきや駆動電流の伝送経路の影響も受ける。
【０１７０】
例えば、図４に示す様に、ある光学的情報再生装置の場合、周波数設定値を１０（ｄｅｃ）に設定すれば、レーザ駆動部７が基本駆動電流に重畳する高周波電流の周波数は４００ＭＨｚが得られるが（図４の直線４０１参照）、別の光学的情報再生装置の場合は、周波数設定値を１２（ｄｅｃ）に設定しなければ、４００ＭＨｚを得ることが出来ない（図４の直線４０２参照）。図５についても同様のことが言える（図５の直線５０１，５０２参照）。
【０１７１】
このため周波数設定値と振幅設定値は、個々の光学的情報再生装置毎に製造時に、所定の調整により設定し、記憶部１８に記憶しておく。
【０１７２】
これにより、特性ばらつきに影響を受けない高精度な設定を実現でき信頼性の高い光学的情報再生装置を実現可能できる。
【０１７３】
尚、製造時の上記所定の調整としては、例えば次の方法が挙げられる。
【０１７４】
一般に、高周波電流を重畳していない基本駆動電流が半導体レーザ６に供給される場合、その基本駆動電流が所定値を越えるまではレーザ光は出力を開始しないが、所定値以上の電流が供給されると、その後は、レーザ光の出力値がほぼ直線的に立ち上がる。尚、この基本駆動電流とレーザ光の出力値との関係は半導体レーザ６の特性ばらつき等により異なる。
【０１７５】
また、高周波電流が重畳された駆動電流が半導体レーザ６に供給される場合も、上記とほぼ同様の現象が生じるが、レーザ光が出力しはじめる平均電流値は、高周波電流の振幅値が大きいほど、基本駆動電流を供給した場合の所定値に比べてより小さくなる。従って、半導体レーザ６から所定のレーザ出力が出ている時に供給されている基本駆動電流の値と高周波電流が重畳された駆動電流の平均電流値との差分ΔＩｔｈが、基本駆動電流に対する高周波電流の重畳の影響度を示す指標となる。
【０１７６】
そこで、ピークレベル値／平均レベル値が所定値を満足するように、高周波電流の振幅設定値及び周波数設定値が予め決定された、基準の光学的情報再生装置を用意して、その基準の装置における差分ΔＩｔｈを、使用される高周波電流の振幅設定値及び周波数設定値毎に予め測定しておく。具体的には、図３の曲線３１に対応した条件（高周波重畳用振幅値が５ｍＡｐｐで、高周波重畳用周波数が４００ＭＨｚ）の元での差分ΔＩｔｈ１と、曲線３２に対応した条件（高周波重畳用振幅値が３．３ｍＡｐｐで、高周波重畳用周波数が４００ＭＨｚ）の元での差分ΔＩｔｈ２とが予め測定されている。
【０１７７】
製造工程では、それぞれの光学的情報再生装置について、上記基準の装置の差分ΔＩｔｈ１，ΔＩｔｈ２と同じ差分が生じる様に、高周波電流の振幅及び周波数（図４，５の縦軸の値を参照）を、各差分毎に調整する。この調整により、製造工程での各装置における、基本駆動電流に対する高周波電流の重畳の影響度を、上記基準の装置における影響度と同じにすることが可能となる。
【０１７８】
その結果、周波数設定値と振幅設定値（図４，５の横軸の値参照）を、各装置毎に精度良く設定することが出来る。
【０１７９】
尚、上記の様にして設定されたそれぞれの設定値に対応して、図３で述べたレーザ出力が得られる様に、即ち、点３１ａでは０．３ｍＷが出力され、点３２ｂでは、０．６ｍＷが出力される様に、基本駆動電流の値が調整されている。
【０１８０】
尚、複数の設定値データの全てを製造時に調整して記憶部１８に記憶するのではなく、一部の設定値データのみ調整することにより、製造段階の調整工数を削減できる。この場合でも、光ディスクを再生する際に、記憶部１８に記憶されていない設定データは、記憶済みの設定値データの値に基づいて、推定設定（例えば比例算出）可能である。
【０１８１】
例えば、図５の直線５０１に示す様に、１回のみ記録可能な光ディスクにおいて振幅設定値の標準値が、２倍速再生時（図５の振幅５ｍＡｐｐ参照）において１２ｄｅｃ、４倍速再生時（図５の振幅３．３ｍＡｐｐ参照）において８ｄｅｃ（４倍速再生時に対する２倍速再生時の振幅設定値の比が１．５）であるとする。ここで、図５の直線５０１は、標準的な光学的情報再生装置の高周波重畳用振幅と振幅設定値との関係を示す。
【０１８２】
この場合、ある一つの光学的情報再生装置の調整工程において、４倍速再生時の振幅設定値が６ｄｅｃとなり、標準値の８ｄｅｃより設定値が小さくなった場合、２倍速再生時の振幅設定値を、４倍速再生時の振幅設定値６ｄｅｃの１．５倍の９ｄｅｃと推定して（図５の直線５０２参照）、その推定値を記録部１８に記録する。このレーザ駆動部７は標準値より小さな設定値で、同等の高周波重畳用振幅を発生させるレーザ駆動部７であり、２倍速再生時の振幅設定値も標準値より小さく推定できており、製造時の工数を削減して低コストの光学的情報再生装置を実現可能できる。
【０１８３】
尚、推定による振幅設定値の設定では計算誤差が発生するため、推定設定する場合には、ジッタに対する改善効果の弱い、最小の振幅設定値（図５の振幅３．３ｍＡｐｐに対応する振幅設定値）だけを、調整工程における調整の対象として高精度に設定し、大きい振幅設定値（図５の振幅５ｍＡｐｐに対応する振幅設定値）を推定設定することがより望ましい。
【０１８４】
また、振幅設定値を推定設定する構成として、上記の例では、図５に示す直線５０１の傾きを使用する場合について説明したがこれに限らず、例えば、調整工程において、最小の振幅設定値を高精度に設定するとともに、その光学的情報再生装置の図５に示す直線５０２の傾きを求めて、記憶部１８に記憶しておいても良い。この構成の場合、直線５０１の傾きを一律に使用するよりも、推定設定の精度が向上する。
【０１８５】
尚、本実施の形態の光学的情報再生装置においては、１種類の半導体レーザのみを備える構成としたが、これに限定されるものではなく、複数の半導体レーザを備え、異なる波長（例えば約６５０ｎｍや約７８０ｎｍ）のレーザ光を発光可能とする構成であっても良い。
【０１８６】
また、波長４０５ｎｍの半導体レーザのみ、光ディスク１の種類と再生速度に基づく、高周波電流のパラメータの切り替えを実施し、その他の波長の半導体レーザについては高周波電流のパラメータの設定を固定タイプとしても良い。
【０１８７】
ＶＩＩＩ．次に、光ディスク１が複数の情報記録面を備える場合に、どの情報記録面を再生するかに基づいて、高周波電流のパラメータを決定する際の動作を説明する。
【０１８８】
尚、ここでは、基本駆動電流の大きさは、少なくとも、光ディスク１が複数の情報記録面を有する光ディスクの場合にどの情報記録面を再生するかを示す再生層情報に基づいて予め決定される。例えば、光ディスク１のレーザ光の入射面から遠い位置の情報記録面の方が、近い位置の情報記録面よりレーザ出力は大きく設定する。
【０１８９】
また、高周波電流のパラメータを決定する際に、レーザ光の光強度のピークレベル値と平均レベル値との比（ピークレベル値／平均レベル値）が所定の閾値以下となる様に、高周波電流のパラメータを設定することは、上記の場合と同様である。
【０１９０】
しかし、多層の光ディスクの場合、単層の光ディスクに比べて、再生光劣化が発生しやすいので、ピークレベル値／平均レベル値は、上記の場合より低く抑える必要がある。
【０１９１】
一方、レーザ出力が大きい場合、レーザの帰還光によるノイズの影響は小さいため、ノイズに起因するジッタの発生は抑制される。
【０１９２】
従って、再生光劣化を防止するために、近い位置の情報記録面を再生する場合に比べて、遠い位置の情報記録面を再生する場合の方が、ピークレベル値／平均レベル値は、より一層小さく設定する必要がある。具体的には、最も遠い位置の情報記録面を再生する場合、高周波電流が重畳されていない基本駆動電流だけを半導体レーザ６に供給する等、重畳される高周波電流を弱くすることが望ましい。よって、高周波電流のパラメータには周波数が０の場合を含む。
【０１９３】
上記構成によれば、多層ディスクの複数の情報記録面の内、どの情報記録面が再生対象となるかによって、高周波電流のパラメータを決定するので、再生光劣化を防止出来、ジッタの抑制も可能である。
【０１９４】
ＩＸ．次に、光ディスク１が複数の情報記録面を備える場合に、再生する情報記録面を変更する際の動作について説明する。
【０１９５】
複数の情報記録面を同一の波長、同一のＮＡのレンズで再生する場合であっても、各情報記録面の特性に応じて高周波電流のパラメータを変更することが望ましい。
【０１９６】
一般に、再生する情報記録面を変更する際には、レーザ光の集光面を変更するための対物レンズ１３の移動と、球面収差を補正するためのコリメータレンズ１１の移動を行う。本実施の形態においては、さらに高周波電流のパラメータも変更する。
【０１９７】
記憶部１８は、光ディスク１の種類と再生速度に加えて、再生する情報記録面毎に高周波電流のパラメータを予め備えている。
【０１９８】
再生する情報記録面を変更する場合には、制御部５が再生中の情報記録面に対応する高周波電流のパラメータと、変更後の情報記録面に対応する高周波電流のパラメータとを比較する（工程３０１）。
【０１９９】
変更後の情報記録面に対応する高周波電流のパラメータの方が、光強度のピークレベル値が小さい場合（例えば高周波重畳用振幅値が小さい）は、先ず、高周波電流のパラメータを変更する（工程３０２）。その後、対物レンズ１３とコリメータレンズ１１の移動を行う（工程３０３）。
【０２００】
これにより変更後の情報記録面にレーザが集光される際には光強度のピークレベル値が再生光劣化しないレベルに押さえされており、信頼性の高い学的情報再生装置を提供することができる。
【０２０１】
また、変更後の情報記録面に対応する高周波電流のパラメータの方が光強度のピークレベルが大きい場合は、先ず、対物レンズ１３とコリメータレンズ１１の移動を行う（工程３０４）、その後、高周波電流パラメータを変更する（工程３０５）。
【０２０２】
これにより変更前の情報記録面に対して再生光劣化が発生するピークレベルのレーザを照射することなく情報記録面の変更を行うことが出来、信頼性の高い光学的情報再生装置を提供することができる。
【０２０３】
また、記憶部１８は光ピックアップ３内に備えていても良い。
【０２０４】
尚、上記実施の形態では、再生光劣化の防止と同時にジッタも最適化する場合について説明したが、これに限らず例えば、ジッタは必ずしも最適化さていなくても良く、要するに、再生光の劣化を抑制出来て、ジッタが抑制されておれば良い。
【０２０５】
また、上記実施の形態では、光ディスクの種類と再生速度の両方に応じて、高周波電流のパラメータを決定する場合について説明したが、これに限らず例えば、何れか一方に応じて高周波電流のパラメータを決定する構成でも良い。この場合でも従来より、再生光劣化を抑制できる。
【０２０６】
また、上記実施の形態では、複数の情報記録面を有する光ディスクにおいて、再生対象となる情報記録面に応じて、高周波電流のパラメータを決定する場合について説明したが、これに限らず例えば、光ディスクの種類及び再生速度の少なくとも何れか一方をも考慮して、高周波電流のパラメータを決定する構成でも良い。
【０２０７】
また、上記実施の形態では、再生途中で、高周波電流のパラメータを変更する例として、再生速度の変更、又は、再生対象の情報記録面の選択に応じて、高周波電流のパラメータを変更する場合について説明したが、これに限らず例えば、再生速度の変更及び再生対象の情報記録面の選択の両方に応じて、高周波電流のパラメータを変更する構成でも良い。
【０２０８】
また、上記実施の形態では、推定設定（例えば、比例算出）した設定値データを記憶部１８に記録して、その後は、記録された推定設定値を使用する場合について説明したが、これに限らず例えば、再生動作の度に推定設定しても良い。
【０２０９】
尚、本発明のプログラムは、上述した本発明の光学的情報再生装置の制御部の機能をコンピュータにより実行させるためのプログラムであって、コンピュータと協働して動作するプログラムであってもよい。
【０２１０】
また、本発明のプログラムは、上述した本発明の光学的情報再生装置の情報再生方法の、高周波電流のパラメータを決定する工程の動作をコンピュータにより実行させるプログラムであって、コンピュータと協働して動作するプログラムであってもよい。
【０２１１】
また、本発明の記録媒体は、上述した本発明の光学的情報再生装置の制御部の機能をコンピュータにより実行させるためのプログラムを担持した記録媒体であり、コンピュータにより読み取り可能且つ、読み取られた前記プログラムが前記コンピュータと協動して前記機能を実行する記録媒体であってもよい。
【０２１２】
また、本発明の記録媒体は、上述した本発明の光学的情報再生装置の情報再生方法の、高周波電流のパラメータを決定する工程の動作をコンピュータにより実行させるプログラムを記録した記録媒体であり、コンピュータにより読み取り可能且つ、読み取られた前記プログラムが前記コンピュータと協動して前記動作を実行する記録媒体であってもよい。
【０２１３】
また、本発明のプログラムの一利用形態は、コンピュータにより読み取り可能な、ＲＯＭ等の記録媒体に記録され、コンピュータと協働して動作する態様であっても良い。
【０２１４】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０２１５】
また、上述した本発明のコンピュータは、ＣＰＵ等の純然たるハードウェアに限らず、ファームウェアや、ＯＳ、更に周辺機器を含むものであっても良い。
【０２１６】
尚、以上説明した様に、本発明の構成は、ソフトウェア的に実現しても良いし、ハードウェア的に実現しても良い。
【産業上の利用可能性】
【０２１７】
本発明にかかる光学的情報再生装置、光学的情報再生装置の情報再生方法、プログラム、及び記録媒体は、再生光劣化防止が可能であり、高密度に情報が記録された光ディスクの再生システム等に好適である。
【符号の説明】
【０２１８】
１  光ディスク
２  スピンドルモータ
３  光ピックアップ
４  信号処理部
５  制御部
６  半導体レーザ
７  レーザ駆動部
８  前光用ビームスプリッタ
９  前光モニタ
１０  ビームスプリッタ
１１  コリメータレンズ
１２  立ち上げミラー
１３  対物レンズ
１４  光検出器
１５  電流制御部
１６  Ｄ／Ａ変換器
１７  オシレータ
１８  記憶部
３１  曲線（２倍速再生時の説明に用いた、ピークレベル値／平均レベル値の特性曲線）
３２  曲線（４倍速再生時の説明に用いた、ピークレベル値／平均レベル値の特性曲線）
３３  曲線（高周波重畳用周波数を変更した場合の説明に用いた、ピークレベル値／平均レベル値の特性曲線）
【図１】
2010023905.tif 000003
【図２】
2010023905.tif 000004
【図３】
2010023905.tif 000005
【図４】
2010023905.tif 000006
【図５】
2010023905.tif 000007
【図６】
2010023905.tif 000008
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定し、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の入射面に最も遠い位置の情報記録面を再生する場合の方が、前記レーザ光のピークレベル値と平均レベル値との比（ピークレベル値／平均レベル値）が小さくなるように高周波電流のパラメータを決定する、光学的情報再生装置。
【請求項２】
前記レーザ光の入射面に最も遠い位置の情報記録面を再生する場合、高周波電流が重畳されていない基本駆動電流だけを前記半導体レーザに供給する、請求項１に記載の光学的情報再生装置。
【請求項３】
前記高周波電流のパラメータは、前記レーザ駆動部で用いられる、前記高周波電流の振幅値を設定する振幅設定値と前記高周波電流の周波数を設定する周波数設定値とを含む、請求項２に記載の光学的情報再生装置。
【請求項４】
前記高周波電流のパラメータは、前記レーザ光の光強度のピークレベル値と平均レベル値との比が、予め定められた値以下になる様に、設定される、請求項３に記載の光学的情報再生装置。
【請求項５】
前記予め定められた値は、前記情報記録媒体が再生される際に、前記レーザ光によって、前記情報記録媒体の記録情報にダメージを与えないための閾値である、請求項４に記載の光学的情報再生装置。
【請求項６】
前記予め定められた値は、前記情報記録媒体のどの情報記録面を再生するのかによって、異なる、請求項５に記載の光学的情報再生装置。
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備え、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の入射面に最も遠い位置の情報記録面を再生する場合の方が、前記レーザ光のピークレベル値と平均レベル値との比（ピークレベル値／平均レベル値）が小さくなるように高周波電流のパラメータを決定する、光学的情報再生装置の情報再生方法。
【請求項１７】
前記レーザ光の入射面に最も遠い位置の情報記録面を再生する場合、高周波電流が重畳されていない基本駆動電流だけを前記半導体レーザに供給する、請求項１６に記載の光学的情報再生装置の情報再生方法。
【請求項１８】
前記高周波電流のパラメータは、前記レーザ駆動部で用いられる、前記高周波電流の振幅値を設定する振幅設定値と前記高周波電流の周波数を設定する周波数設定値とを含む、請求項１７に記載の光学的情報再生装置の情報再生方法。
【請求項１９】
前記高周波電流のパラメータは、前記レーザ光の光強度のピークレベル値と平均レベル値との比が、予め定められた値以下になる様に、設定される、請求項１８に記載の光学的情報再生装置の情報再生方法。
【請求項２０】
前記予め定められた値は、前記情報記録媒体が再生される際に、前記レーザ光によって、前記情報記録媒体の記録情報にダメージを与えないための閾値である、請求項１９に記載の光学的情報再生装置の情報再生方法。
【請求項２１】
前記予め定められた値は、前記情報記録媒体のどの情報記録面を再生するのかによって、異なる、請求項２０に記載の光学的情報再生装置の情報再生方法。
【手続補正書】
【提出日】平成22年12月14日(2010.12.14)
【手続補正１】
【補正対象書類名】明細書
【補正対象項目名】全文
【補正方法】変更
【補正の内容】
【発明の詳細な説明】
【技術分野】
【０００１】
本発明は、レーザ光により情報記録媒体に記録された情報の再生機能を少なくとも有し、かつレーザノイズを抑制することを目的とした高周波電流重畳機構を有するレーザ駆動装置を備える光学的情報再生装置、及びその再生方法などに関するものである。
【背景技術】
【０００２】
近年、青紫レーザにより光学的記録媒体に高密度の情報記録再生を行うＢＤ（Ｂｌｕ−ｒａｙ  Ｄｉｓｃ）等の光学的情報再生装置においては高速記録・再生化（高倍速化）が進んでおり、半導体レーザも高出力化が進んでいる。
【０００３】
一方、半導体レーザを用いて情報の記録再生を行う光学的情報記録再生装置においては、半導体レーザから射出されたレーザ光を回転する情報記録媒体に照射し、情報記録媒体からの反射光を光検出器で受光して情報の再生を行う。しかし、この様な装置では、反射光の一部が半導体レーザに帰還するとノイズがレーザ光に混入し情報の再生品質を劣化させるという課題があり、特に出力の低い再生動作時に問題となる。
【０００４】
この為、半導体レーザには、高出力が求められると同時に、低出力時に低ノイズであることが求められる。
【０００５】
この帰還光によるノイズを抑制する方法としては、半導体レーザを駆動する直流電流に高周波電流を重畳するという方法が知られている。
【０００６】
図６は、従来の光学的情報再生装置（光ディスクドライブ）のブロック図である（特開２００４−１１０９７５号公報参照）。
【０００７】
光ディスクドライブ５１は、図示しない半導体レーザと光検出器を備え、半導体レーザで発生したレーザ光を情報記録媒体（ディスク）５２に照射し、ディスク５２からの反射光を光検出器で受光してディスク５２に記録された情報を電気信号に変換する。変換された電気信号は、図示しない信号ＬＳＩによりデジタルデータに変換されるが、反射光の一部が半導体レーザに帰還するとレーザ光にノイズが混入し、再生される情報のジッタを悪化させる。
【０００８】
これを改善するため、ＬＤドライバ５３には、半導体レーザに駆動電流を供給する際に、駆動電流に所定の周波数と振幅値の高周波成分を重畳する機能が備えられている。これにより、シングルモードレーザをマルチモード化することによりジッタを抑制することが可能となっている。高周波電流の重畳によるノイズの抑制のレベルは、ＬＤドライバ５３内部に備えるレジスタ５４によって設定する、高周波の周波数と振幅により変動する。そのため、ジッタ計測部５５でジッタを計測しながら最もジッタが小さくなる周波数と振幅を探索して設定する。
【０００９】
一般に、ジッタを最小にする最適周波数や振幅は、光ディスクドライブ５１の個体バラツキにより異なるが、ジッタを計測しながら最適周波数と振幅を設定し直すため、個々の光ディスクドライブ毎に最適な設定を誤差なく設定することが可能である。
【先行技術文献】
【特許文献】
【００１０】
【特許文献１】特開２００４−１１０９７５号公報
【発明の概要】
【発明が解決しようとする課題】
【００１１】
しかしながら、上記従来の構成では以下の様な課題があった。
【００１２】
重畳された高周波電流の周波数と振幅はジッタに対してのみ最適になる様に設定されている。そのため、ディスク５２が再生専用でなく情報記録が可能なタイプである場合、高周波電流が重畳された駆動電流の振幅値が、所定の値より大きい状態でディスク５２の再生を行うことになる。その場合、レーザ光により記録媒体に記録された情報がダメージを受けることがある。
【００１３】
それは、高周波が重畳された駆動電流で半導体レーザを駆動すると、レーザ光の光強度は平均レベルに対して一部の強度が著しく高く鋭いピークを有する波形になり、ピーク点の光強度のレーザ光により記録済みの情報が変質する再生光劣化が発生するためである。
【００１４】
特に、近年の高速記録・再生の傾向が進むに伴なって、再生時の光量が増大するため、より再生光劣化が発生しやすくなっている。
【００１５】
一方、高速再生時の再生光劣化を防止するために重畳振幅を小さく設定しすぎると低速再生時のジッタが悪化するので、ジッタを抑制しつつ再生光劣化を防止することは出来ないという課題があった。
【００１６】
本発明は、記録媒体に記録された情報が、レーザ光によりダメージを受けることを抑制できる信頼性の高い情報記録再生装置、光学的情報再生装置の情報再生方法、プログラム、及び記録媒体を提供することを目的とする。
【課題を解決するための手段】
【００１７】
第１の本発明は、  
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定する、光学的情報再生装置である。
【００１８】
また、第２の本発明は、
前記制御部は、前記情報記録媒体から情報を読み出すための再生速度を決定する機能及び前記情報記録媒体の種類を判別する機能の内、少なくとも何れか一つの機能を有し、
前記重畳の対象となる電流の大きさは、ｉ）前記制御部により前記判別された前記情報記録媒体の種類、ｉｉ）前記制御部により前記決定された前記再生速度及び、ｉｉｉ）前記情報記録媒体の情報記録面の内どの情報記録面が再生されるのかを示す再生層情報の内、少なくとも何れか一つの情報に基づいて決定される、上記第１の本発明の光学的情報再生装置である。
【００１９】
また、第３の本発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第２の本発明の光学的情報再生装置である。
【００２０】
これにより、例えば、情報記録媒体の種類と再生速度に応じて高周波電流のパラメータを決定するので、再生光劣化を防止可能で、且つジッタの少ない再生が可能な光学的情報再生装置を提供できる。
【００２１】
また、例えば、本発明の光学的情報再生装置は、情報記録媒体の種類が、再生専用、１回のみ記録可能、繰り返し記録可能のうちのいずれであるかを判別し、前記判別結果に基づいて前記高周波電流のパラメータを決定しても良い。
【００２２】
これにより、例えば、情報記録媒体の種類によらず情報記録媒体の再生光劣化を防止可能な光学的情報再生装置を提供できる。
【００２３】
また、第４の本発明は、
前記高周波電流のパラメータは、前記レーザ光の光強度のピークレベル値と平均レベル値との比が、予め定められた値以下になる様に、設定される、上記第３の本発明の光学的情報再生装置である。
【００２４】
また、第５の本発明は、
前記予め定められた値は、前記情報記録媒体が再生される際に、前記レーザ光によって、前記情報記録媒体の記録情報にダメージを与えないための閾値である、上記第４の本発明の光学的情報再生装置である。
【００２５】
また、第６の本発明は、
前記予め定められた値は、前記情報記録媒体の種類によって、前記再生速度によって、又は、前記情報記録媒体のどの情報記録面を再生するのかによって、異なる、上記第５の本発明の光学的情報再生装置である。
【００２６】
これにより、例えば、情報記録媒体の種類、再生速度、又は、再生対象となる情報記録面によらず、情報記録媒体の再生光劣化を防止可能な光学的情報再生装置を提供できる。
【００２７】
また、第７の本発明は、
前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第４〜６の何れかの本発明の光学的情報再生装置である。
【００２８】
これにより、例えば、光学的情報再生装置の起動時の学習を不要として立ち上がり時間の短い光学的情報再生装置を提供できる。
【００２９】
また、第８の本発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第４，６，又は７の本発明の光学的情報再生装置である。
【００３０】
これにより、例えば、再生光劣化を防止しつつ、再生光劣化の発生しない再生専用の記録媒体についてはジッタの少ない再生が可能な光学的情報再生装置を提供できる。
【００３１】
また、第９の本発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第４，６，又は７の本発明の光学的情報再生装置である。
【００３２】
これにより、例えば、再生光劣化を防止しつつ、１回のみ情報記録可能な記録媒体に対してはジッタの少ない再生が可能な光学的情報再生装置を提供できる。  
【００３３】
また、第１０の本発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第８又は９の本発明の光学的情報再生装置である。
【００３４】
これにより、例えば、光強度のピークレベルを下げることができ、情報記録媒体の再生光劣化を防止可能な光学的情報再生装置を提供できる。
【００３５】
また、第１１の本発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第８又は９の本発明の光学的情報再生装置である。
【００３６】
これにより、例えば、光強度のピークレベルを下げることができ、情報記録媒体の再生光劣化を防止可能な光学的情報再生装置を提供できる。
【００３７】
また、第１２の本発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出される、上記第７の本発明の光学的情報再生装置である。
【００３８】
これにより、例えば、ジッタの抑制効果が弱い、最小の振幅設定値を精度良く設定して設定誤差の影響を小さくしつつ、その他の設定値の設定工数を削減して低コストを実現可能な光学的情報再生装置を提供できる。
【００３９】
また、第１３の本発明は、
前記制御部は、前記情報記録媒体に記録された前記情報の再生中に前記再生速度を変更する場合、又は、前記再生される前記情報記録面を変更する場合、前記決定されたパラメータを変更する、上記第４の本発明の光学的情報再生装置である。
【００４０】
これにより、例えば、情報記録媒体の再生速度の変更、又は、再生される情報記録面の変更に応じて高周波電流のパラメータを変更するので、再生光劣化を防止可能で、且つ、ジッタの少ない再生が可能な光学的情報再生装置を提供できる。
【００４１】
また、第１４の本発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第１３の本発明の光学的情報再生装置である。
【００４２】
これにより、例えば、再生中に再生速度を上げる場合にも再生光劣化を防止可能な光学的情報再生装置を提供できる。
【００４３】
また、第１５の本発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第１３の本発明の光学的情報再生装置である。
【００４４】
これにより、例えば、再生中に再生速度を下げる場合にも再生光劣化を防止可能な光学的情報再生装置を提供できる。
【００４５】
また、例えば、本発明の光学的情報再生装置は、半導体レーザの発振波長が、３９０ｎｍ以上４５０ｎｍ以下であっても良い。
【００４６】
これにより、例えば、波長が３９０ｎｍ以上４５０ｎｍの範囲のレーザ光により情報の再生を行う高密度な情報記録媒体に対する再生中であっても、再生光劣化を防止可能な光学的情報再生装置を提供できる。
【００４７】
また、第１６の本発明は、  
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備えた、光学的情報再生装置の情報再生方法である。
【００４８】
また、第１７の本発明は、
前記制御部は、前記情報記録媒体から情報を読み出す再生速度を決定する機能及び前記情報記録媒体の種類を判別する機能の内、少なくとも何れか一方の機能を有し、
前記重畳の対象となる電流の大きさは、ｉ）前記制御部により前記判別された前記情報記録媒体の種類、ｉｉ）前記制御部により前記決定された前記再生速度、及びｉｉｉ）前記情報記録媒体の情報記録面の内どの情報記録面が再生されるのかを示す再生層情報の内、少なくとも何れか一つの情報に基づいて決定される、上記第１６の本発明の光学的情報再生装置の情報再生方法である。
【００４９】
また、第１８の本発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第１７の本発明の光学的情報再生装置の情報再生方法である。
【００５０】
これにより、例えば、情報記録媒体の種類と再生速度に応じて高周波電流のパラメータを決定するので、再生光劣化を防止可能で、且つジッタの少ない再生が可能な、光学的情報再生装置における情報再生方法を提供できる。
【００５１】
また、例えば、本発明の光学的情報再生装置における情報再生方法は、情報記録媒体の種類が、再生専用、１回のみ記録可能、繰り返し記録可能のうちのいずれであるかを判別し、前記判別結果に基づいて前記高周波電流のパラメータを決定しても良い。
【００５２】
これにより、例えば、情報記録媒体の種類によらず情報記録媒体の再生光劣化を防止可能な、光学的情報再生装置における情報再生方法を提供できる。
【００５３】
また、第１９の本発明は、
前記高周波電流のパラメータは、前記レーザ光の光強度のピークレベル値と平均レベル値との比が、予め定められた値以下になる様に、設定される、上記第１８の本発明の光学的情報再生装置の情報再生方法である。
【００５４】
また、第２０の本発明は、
前記予め定められた値は、前記情報記録媒体が再生される際に、前記レーザ光によって、前記情報記録媒体の記録情報にダメージを与えないための閾値である、上記第２１の本発明の光学的情報再生装置の情報再生方法である。
【００５５】
また、第２１の本発明は、
前記予め定められた値は、前記情報記録媒体の種類によって、前記再生速度によって、又は、前記情報記録媒体のどの情報記録面を再生するのかによって、異なる、上記第２０の本発明の光学的情報再生装置の情報再生方法である。
【００５６】
これにより、例えば、情報記録媒体の種類、再生速度、又は、再生対象となる情報記録面によらず情報記録媒体の再生光劣化を防止可能な、光学的情報再生装置における情報再生方法を提供できる。
【００５７】
また、第２２の本発明は、
前記情報記録再生装置は、前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第１９〜２１の何れかの本発明の光学的情報再生装置の情報再生方法である。
【００５８】
これにより、例えば、光学的情報再生装置の起動時の学習を不要として立ち上がり時間の短い、光学的情報再生装置における情報再生方法を提供できる。
【００５９】
また、第２３の本発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第１９、２１、又は２２の本発明の光学的情報再生装置の情報再生方法である。
【００６０】
これにより、例えば、再生光劣化を防止しつつ、再生光劣化の発生しない再生専用の記録媒体についてはジッタの少ない再生が可能な、光学的情報再生装置における情報再生方法を提供できる。
【００６１】
また、第２４の本発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第１９、２１、又は２２の本発明の光学的情報再生装置の情報再生方法である。
【００６２】
これにより、例えば、再生光劣化を防止しつつ、１回のみ情報記録可能な記録媒体に対してはジッタの少ない再生が可能な、光学的情報再生装置における情報再生方法を提供できる。
【００６３】
また、第２５の本発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第２３又は２４の本発明の光学的情報再生装置の情報再生方法である。
【００６４】
これにより、例えば、光強度のピークレベルを下げることができ、情報記録媒体の再生光劣化を防止可能な、光学的情報再生装置における情報再生方法を提供できる。
【００６５】
また、第２６の本発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第２３又は２４の本発明の光学的情報再生装置の情報再生方法である。
【００６６】
これにより、例えば、光強度のピークレベルを下げることができ、情報記録媒体の再生光劣化を防止可能な、光学的情報再生装置における情報再生方法を提供できる。
【００６７】
また、第２７の本発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出する、上記第２２の本発明の光学的情報再生装置の情報再生方法である。
【００６８】
これにより、例えば、ジッタの抑制効果が弱い最小の振幅設定値を精度良く設定して設定誤差の影響を小さくしつつ、その他の設定値の設定工数を削減して低コストを実現可能な、光学的情報再生装置における情報再生方法を提供できる。
【００６９】
また、第２８の本発明は、
前記制御部は、前記情報記録媒体に記録された前記情報の再生中に前記再生速度を変更する場合、又は、前記再生される前記情報記録面を変更する場合、前記決定されたパラメータを変更する、上記第１９の本発明の光学的情報再生装置の情報再生方法である。
【００７０】
これにより、例えば、情報記録媒体の再生速度の変更、又は、再生される情報記録面の変更に応じて高周波電流のパラメータを変更するので、再生光劣化を防止可能で、且つジッタの少ない再生が可能な、光学的情報再生装置における情報再生方法を提供できる。
【００７１】
また、第２９の本発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第２８の本発明の光学的情報再生装置の情報再生方法である。
【００７２】
これにより、例えば、再生中に再生速度を上げる場合にも再生光劣化を防止可能な、光学的情報再生装置における情報再生方法を提供できる。
【００７３】
また、第３０の本発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第２８の本発明の光学的情報再生装置の情報再生方法である。
【００７４】
これにより、例えば、再生中に再生速度を下げる場合にも再生光劣化を防止可能な、光学的情報再生装置における情報再生方法を提供できる。
【００７５】
また、例えば、本発明の光学的情報再生装置における情報再生方法は、半導体レーザの発振波長が、３９０ｎｍ以上４５０ｎｍ以下であっても良い。
【００７６】
これにより、例えば、波長が３９０ｎｍ以上４５０ｎｍの範囲のレーザ光により情報の再生を行う高密度な情報記録媒体に対する再生中であっても、再生光劣化を防止可能な、光学的情報再生装置における情報再生方法を提供できる。
【００７７】
また、第３１の本発明は、
上記第１の本発明の光学的情報再生装置の、前記高周波電流の重畳の対象となる電流の大きさに基づいて、前記高周波電流のパラメータを決定する制御部、としてコンピュータを機能させるプログラムである。
【００７８】
また、第３２の本発明は、
上記第１６の本発明の光学的情報再生装置の情報再生方法の、前記制御部により、前記高周波電流の重畳の対象となる電流の大きさに基づいて、前記高周波電流のパラメータを決定する工程をコンピュータに実行させるプログラムである。
【００７９】
また、第３３の本発明は、
上記第３１又は、３２の本発明のプログラムを記録した記録媒体であって、コンピュータにより処理可能な記録媒体である。
【００８０】
上記構成により、再生光劣化が発生せずジッタも良好な、高性能かつ高信頼性の情報再生装置を提供できる。
【発明の効果】
【００８１】
本発明によれば、記録媒体に記録された情報が、レーザ光によりダメージを受けることを抑制できる信頼性の高い光学的情報再生装置、光学的情報再生装置の情報再生方法、プログラム、及び記録媒体を提供出来る。      
【図面の簡単な説明】
【００８２】
【図１】本発明の実施の形態における光学的情報再生装置のブロック図
【図２】本発明の実施の形態における光学的情報再生装置のレーザ光強度の時間変化を示す波形図
【図３】本発明の実施の形態における光学的情報再生装置のレーザ光強度のピークレベル値と平均レベル値との比と、レーザ出力との関係図
【図４】本発明の実施の形態における光学的情報再生装置の高周波電流の、周波数設定値と高周波重畳用周波数との関係図
【図５】本発明の実施の形態における光学的情報再生装置の高周波電流の、振幅設定値と高周波重畳用振幅との関係図
【図６】従来の光学的情報再生装置のブロック図
【発明を実施するための形態】
【００８３】
以下本発明の実施の形態について、図面を参照しながら説明する。
（実施の形態）
図１は、本発明の一実施の形態における光学的情報再生装置のブロック図である。
【００８４】
Ｉ．図１を参照しながら、本実施の形態の光学的情報再生装置の構成を説明する。
【００８５】
光ディスク１は、デジタル情報が記録される情報記録媒体であり、図示しない情報記録面を一つもしくは複数備える。
【００８６】
スピンドルモータ２は、光ディスク１を任意の回転数で駆動するモータである。光ピックアップ３は、レーザ光を光ディスク１に照射し反射光を電気信号に変換することにより、光ディスク１に記録された情報をアナログ信号として読み出す装置である。信号処理部４は、光ピックアップ３から読み出された信号をデジタル信号に変換する手段である。制御部５は、一つ又は複数のＬＳＩから構成され、信号処理部４から送られるデジタル信号を処理する他、光ピックアップ３から照射するレーザ光の強度やスピンドルモータ２の回転数を制御する手段である。
【００８７】
制御部５がスピンドルモータ２の回転数を変更すると、レーザ光が光ディスク１を走査する線速度が変更されるので、光ディスク１から情報を読み出す再生（又は記録）速度を変更することができる。制御部５は速度に応じてレーザの光強度の調整も行う。
【００８８】
次に、光ピックアップ３の内部構成について説明する。
【００８９】
半導体レーザ６は、波長３９０ｎｍ以上４５０ｎｍ以下のレーザ光、望ましくは波長４０５ｎｍの波長のレーザ光を照射する素子である。レーザ駆動部７は、半導体レーザ６に駆動電流を供給して半導体レーザ６を発光させる装置である。また、レーザ駆動部７は、基本となる駆動電流（以下、基本駆動電流と呼ぶ）に高周波電流を重畳して、半導体レーザ６に供給するための駆動電流を生成する機能を有する。
【００９０】
本実施の形態の「基本駆動電流」は、本発明の「重畳の対象となる電流」の一例である。
【００９１】
半導体レーザ６から照射されるレーザ光は、光ディスク１に向かう往路光の一部が前光用ビームスプリッタ８で分離され前光モニタ９に入射する。制御部５は前光モニタ９からのモニタ信号に基づき、レーザ光の強度が所定の値になる様にレーザ駆動部７を制御する。前光用ビームスプリッタ８を通過した往路光は、復路光を分離するビームスプリッタ１０を通過して、コリメータレンズ１１で平行光に変換される。
【００９２】
コリメータレンズ１１は図示しないアクチュエータを備え、光軸方向に移動可能に構成され、球面収差補正機能を有する。
【００９３】
光ディスク１が複数の情報記録面を備える場合には、再生を行う情報記録面から光ディスク１のレーザ入射表面までの厚みの違いにより球面収差が発生するため、ある情報記録面の再生から他の情報記録面の再生に切り替える際には、発生する球面収差量の差を補正するためにコリメータレンズ１１を光軸方向に移動させる。
【００９４】
コリメータレンズ１１により平行光に変換された往路光は立ち上げミラー１２で反射し対物レンズ１３により集光されて光ディスク１の図示しない情報記録面に合焦する。
【００９５】
光ディスク１からの反射光（復路光）は光ピックアップ３内を往路光と逆に進行し、対物レンズ１３、立ち上げミラー１２、コリメータレンズ１１を通過し、ビームスプリッタ１０で反射し光検出器１４に入射しＲＦ信号やサーボ信号に変換される。
【００９６】
光ディスク１からの反射光は殆どが光検出器１４に戻るが、残りの一部が半導体レーザ６に戻り、これによりレーザ光にノイズが混入する。ノイズが混入すると信号処理部４によりＲＦ信号がデジタル信号に変換される際にジッタが増加し再生される情報の品質を悪化させる。
【００９７】
これを防止するため、半導体レーザ６にレーザ駆動部７が駆動電流を供給する際に、基本駆動電流に所定の周波数と振幅値の高周波成分を重畳し、シングルモードレーザをマルチモード化してジッタを抑制する。レーザ駆動部７は内部に電流制御部１５、Ｄ／Ａ変換器１６、オシレータ１７を備える。
【００９８】
制御部５は、電流制御部１５に半導体レーザ６の基本駆動電流を生成させるとともに、基本駆動電流に重畳する高周波電流の振幅と周波数をそれぞれ設定する設定値データ（図４，５参照）をＤ／Ａ変換器１６に送信する。Ｄ／Ａ変換器１６はその設定値データをアナログ電圧信号に変換しオシレータ１７に入力する。オシレータ１７は設定された周波数及び振幅の高周波を生成し、生成された高周波電流は、図示しないコンデンサを介して基本駆動電流にカップリングされる。
【００９９】
ここで、高周波電流のパラメータである振幅と周波数をそれぞれ設定する設定値データは、メモリである記憶部１８に、再生速度と光ディスク１の種類に応じて個別に保存されている。制御部５は、再生速度と光ディスク１の種類に応じて、最適な値（振幅と周波数）を選択し、これに対応する設定値データを記憶部１８から読み出してレーザ駆動部７に、その読み出した設定値データを送信する。
【０１００】
尚、再生速度と光ディスク１の種類に対応した値（振幅と周波数）をどのようにして決めているかについては、更に後述する。
【０１０１】
また、高周波電流のパラメータには周波数が０の場合を含んでいても良い。この点については、ＶＩＩＩで更に後述する。
【０１０２】
ＩＩ．次に本実施の形態の光学的情報再生装置の動作を説明すると同時に、本発明の一実施の形態である光学的情報再生装置の情報再生方法について説明する。
【０１０３】
光学的情報再生装置に光ディスク１が挿入され、図示しないローディング機構により回転駆動可能な位置にセットされると、制御部５は所定の回転数で光ディスク１を駆動し光ディスク１に最内周に書かれている光ディスク１自身の種類（再生専用、１回のみ記録可能、繰り返し記録可能）や対応可能な再生速度を光ピックアップ３により読み取る。
【０１０４】
次に、光ディスク１への情報の記録又は再生動作をユーザの指示に従って行うが、本実施の形態においては主として再生時における動作を説明する。
【０１０５】
光学的情報再生装置が光ディスク１に記録された情報の再生を行う場合、制御部５は光ディスク１の挿入時に読み込まれた光ディスク１の対応可能な再生速度から、適切な速度を選定（例えば最も速い速度）し、対応する回転速度でスピンドルモータ２を駆動し、ディスク１を回転させる。
【０１０６】
また、ディスク１の種類（再生専用、１回のみ記録可能、繰り返し記録可能）と再生速度に応じてレーザ光の光強度とレーザ駆動部７が基本駆動電流に重畳すべき高周波電流のパラメータ（周波数と振幅値）に対応した設定値データを記憶部１８から読み出して設定する。
【０１０７】
ここで、基本駆動電流の大きさは、ｉ）制御部５により判別された光ディスク１の種類、ｉｉ）制御部５により決定された再生速度、及びｉｉｉ）光ディスク１が複数の情報記録面を有する光ディスクの場合にどの情報記録面を再生するかを示す再生層情報の内、少なくとも何れか一つの情報に基づいて決定される。
【０１０８】
図２は、本発明の実施の形態における光学的情報再生装置のレーザ光強度の時間変化を示す波形図である。
【０１０９】
高周波成分が重畳された駆動電流により発光したレーザ光の光強度の波形は、高周波の重畳された駆動電流の周波数に相当する時間間隔で鋭いピークを持ち、そのピークレベル値はレーザ光の平均レベル値より大幅に高くなっている。また、ピークレベル値は高周波の重畳された駆動電流の振幅の大きさと重畳周波数に応じて変動する。
【０１１０】
このピークレベル値が、所定値より高いと既に記録されている情報を消去してしまう（再生光劣化）場合があるため、再生光劣化を防止するためには、所定値以下になる様、重畳する高周波電流のパラメータを設定する必要がある。
【０１１１】
ここで、再生光劣化が発生しないピークレベル値は、光ディスク１の種類、再生速度、又は、複数の情報記録面を有する光ディスクの場合にどの情報記録面を再生するかにより異なる。一方、再生光劣化を抑えるためにピークレベル値を低くしすぎると、高周波電流の重畳の効果が低くなり、レーザノイズが増加しジッタが悪化してしまう。
【０１１２】
このため本発明の実施の形態では、光ディスク１の種類（再生専用、繰り返し記録可能、１回のみ記録可能）、再生速度、又は、複数の情報記録面を有する光ディスクの場合にどの情報記録面を再生するかにより、重畳する高周波電流のパラメータである周波数と振幅の内、少なくとも何れか一方の値を決定する。
【０１１３】
そして、高周波電流のパラメータを決定する際に、レーザ光の光強度のピークレベル値と平均レベル値との比（ピークレベル値／平均レベル値）が所定の閾値以下となる様に、高周波電流のパラメータを設定する。ここで、所定の閾値は、光ディスク１の記録情報が再生される際に、レーザ光によって、その記録情報にダメージを与えないための閾値である。また、所定の閾値は、光ディスクの種類によって、再生速度によって、又は、光ディスク１のどの情報記録面を再生するのかによって、異なるため、予め実験等により決定しておくことが望ましい。
【０１１４】
高周波電流のパラメータと、所定の閾値の関係について、以下に、具体的に説明する。
【０１１５】
ＩＩＩ．次に、制御部５の光ディスク判別機能により、再生される光ディスク１が記録可能（繰り返し記録可能又は１回のみ記録可能）な種類であると判別されて、２倍速で再生を行うことが決定された場合の動作について説明する。
【０１１６】
本実施の形態の光学的情報再生装置では、レーザ光の光強度のピークレベル値と平均レベル値との比が、所定の閾値（本実施の形態では、この所定の閾値は、例えば７．７とする）以下となる様に、高周波電流のパラメータを設定する。ここで、閾値７．７は、実験により予め決定した値である。
【０１１７】
この閾値７．７は、光ディスク１を、２倍速再生する際に再生光劣化が発生しない閾値であり、レーザ特性のばらつきや温度特性を含めてもこの閾値を超えない様に、高周波電流のパラメータを設定する。
【０１１８】
図３は、本発明の実施の形態における光学的情報再生装置のレーザ光強度のピークレベル値と平均レベル値の比（ピークレベル値／平均レベル値）と、レーザ出力（平均レベル値）との関係図である。
【０１１９】
図３の曲線３１は、レーザ駆動部７に、重畳用の高周波電流の振幅値（以下、これを高周波重畳用振幅値と呼ぶ）として５ｍＡｐｐ、及び重畳用の高周波電流の周波数（以下、これを高周波重畳用周波数と呼ぶ）として４００ＭＨｚに対応する設定値データ（振幅設定値と周波数設定値）を入力し、レーザ出力を０．１〜０．８ｍＷの範囲で変化させたときの、ピークレベル値／平均レベル値の値をプロットしたものである。
【０１２０】
また、図３の曲線３２は、レーザ駆動部７に、高周波重畳用振幅値として３．３ｍＡｐｐ、及び高周波重畳用周波数として４００ＭＨｚに対応する設定値データを入力し、レーザ出力を０．１〜０．８ｍＷの範囲で変化させたときの、ピークレベル値／平均レベル値の値をプロットしたものである。
【０１２１】
また、図３の曲線３３は、レーザ駆動部７に、高周波重畳用振幅値として５ｍＡｐｐ、及び高周波重畳用周波数として４６０ＭＨｚに対応する設定値データを入力し、レーザ出力を０．１〜０．８ｍＷの範囲で変化させたときの、ピークレベル値／平均レベル値の値をプロットしたものである。
【０１２２】
本実施の形態の光学的情報再生装置では、光ディスク１の種類が、記録可能（１回のみ記録可能もしくは繰り返し記録可能）な光ディスクであり、再生条件は２倍速再生である場合は、レーザ出力は、０．３ｍＷを使用することが予め設定されている。
【０１２３】
この場合、記憶部１８から読み出されるデータは、高周波重畳用振幅値として５ｍＡｐｐ、及び高周波重畳用周波数として４００ＭＨｚに対応する設定値データである（図３の曲線３１参照）。その理由は次の通りである。
【０１２４】
再生光劣化を防止するためには、選択対象となる設定値データは、レーザ出力が０．３ｍＷの時に、ピークレベル値／平均レベル値が、７．７以下であることが要求される。曲線３１上の点３１ａと曲線３２上の点３２ａは、ピークレベル値／平均レベル値がそれぞれ６．６と５．４であるので、閾値７．７以下の条件を満足する（図３参照）。
【０１２５】
一方、ピークレベル値／平均レベル値が大きいほど（例えば、高周波重畳用振幅値をより大きく設定する）、ジッタ抑制の効果が高いので、曲線３１上の点３１ａに対応する設定値データが選択される。
【０１２６】
尚、曲線３１は、高周波重畳用周波数を４００ＭＨｚとし、温度特性等のばらつきを考慮した場合において、ピークレベル値／平均レベル値が７．７以下となる複数の曲線の内、最大の高周波重畳用振幅値（５ｍＡｐｐ）を設定した時に得られる曲線である。
【０１２７】
ＩＶ．次に、制御部５の光ディスク判別機能により、再生される光ディスク１が記録可能（繰り返し記録可能又は１回のみ記録可能）な種類であると判別されて、４倍速で再生を行うことが決定された場合の動作について説明する。
【０１２８】
本実施の形態の光学的情報再生装置では、レーザ光の光強度のピークレベルと平均レベルとの比が、２倍速再生より小さい所定の閾値（本実施の形態では、この所定の閾値は、例えば５とする）以下となる様に、高周波電流のパラメータを設定する。
【０１２９】
この閾値５は、光ディスク１を４倍速再生する際に再生光劣化が発生しない閾値である。ここで、閾値５は、実験により予め決定した値である。
【０１３０】
高速再生時には、光強度の平均レベル値を高くする必要がありピークレベル値も平均レベル値の増加に応じて高くなる。このため再生光劣化を防止するためにはピークレベル値が低くなる様に、高周波電流のパラメータを変更する必要がある。
【０１３１】
従って、本実施の形態の光学的情報再生装置においては、高周波電流のパラメータは、ピークレベル値と平均レベル値との比が、２倍速再生時より小さくし、レーザ特性のばらつきや温度特性のばらつきを含めても、この比が５以下になる様に設定する。
【０１３２】
本実施の形態の光学的情報再生装置では、光ディスク１の種類が、記録可能（１回のみ記録可能もしくは繰り返し記録可能）な光ディスクであり、再生条件は４倍速再生である場合は、レーザ出力は、０．６ｍＷを使用することが予め設定されている。
【０１３３】
この場合、記憶部１８から読み出されるデータは、高周波重畳用振幅値として３．３ｍＡｐｐ、及び高周波重畳用周波数として４００ＭＨｚに対応する設定値データである（図３の曲線３２参照）。その理由は次の通りである。
【０１３４】
再生光劣化を防止するためには、選択対象となる設定値データは、レーザ出力が０．６ｍＷの時に、ピークレベル値／平均レベル値が、５以下であることが要求される。
【０１３５】
曲線３２上の点３２ｂは、ピークレベル値／平均レベル値が４であるので、閾値５以下の条件を満足する（図３参照）。しかし、曲線３１上の点３１ｂは、ピークレベル値／平均レベル値が５．６であるので、閾値５以下の条件を満足しない（図３参照）。
【０１３６】
即ち、仮に４倍速再生を２倍速再生と同じ高周波電流のパラメータ（高周波重畳用振幅５ｍＡｐｐ、高周波重畳用周波数４００ＭＨｚ）で行った場合には、ピークレベル値と平均レベル値の比が５．６であり許容値５を超えて再生光劣化を起こしてしまう。
【０１３７】
従って、曲線３２上の点３２ｂに対応する設定値データが選択される。
【０１３８】
尚、曲線３２は、高周波重畳用周波数を４００ＭＨｚとし、温度特性等のばらつきを考慮した場合において、ピークレベル値／平均レベル値が閾値５以下となる複数の曲線の内、最大の高周波重畳用振幅値（３．３ｍＡｐｐ）を設定した時に得られる曲線である。
【０１３９】
本実施の形態においては、このように再生速度の違いにより高周波電流のパラメータを変更するので、再生光劣化を防止できる信頼性の高い光学的情報再生装置を実現可能である。
【０１４０】
更に、上記の様に、ピークレベル値／平均レベル値が予め定められた閾値以下になる様にパラメータを設定する場合、ジッタ抑制の効果も考慮して、最大の高周波重畳用振幅値を設定している。
【０１４１】
また、光強度のピークレベル値と平均レベル値との比を小さくする際には、重畳振幅を変更せずに重畳周波数を上昇させても同等の効果を得ることができる。
【０１４２】
例えば、再生される光ディスク１が記録可能（繰り返し記録可能又は１回のみ記録可能）な種類であり４倍速で再生を行う場合に、高周波重畳用振幅は５ｍＡｐｐ、高周波重畳用周波数を４００ＭＨｚから４６０ＭＨｚに上げることで、レーザ光強度のピークレベル値と平均レベル値の比を下げることができる（図３の曲線３３参照）。
【０１４３】
この場合、図３の曲線３３が示す様に、レーザ出力が０．６ｍＷの時に、ピークレベル値／平均レベル値が３．７であることから、ピークレベル値／平均レベル値が閾値５以下でなければならないという条件を満たしている。
【０１４４】
また、ピークレベル値と平均レベル値の比を下げるために重畳振幅低下と重畳周波数上昇を組み合わせても良い。
【０１４５】
Ｖ．次に、再生される光ディスク１が再生専用である場合の動作について説明する。
【０１４６】
この場合は再生光劣化が発生しないため、レーザ光強度のピークレベル値／平均レベル値の比を小さくする必要はなく、例えば高周波重畳用振幅７ｍＡｐｐ、高周波重畳用周波数４００ＭＨｚとする。或いはジッタの劣化が許容できる範囲内であれば、高周波重畳用振幅を記録可能な光ディスクの２倍速再生時の振幅（５ｍＡｐｐ）と同じにして、予め設定する必要のある設定値データの個数を削減してもよい。
【０１４７】
また、記録可能な光ディスクにおいては、情報の消去が不可能な、１回のみ記録可能なタイプより、情報の消去が可能な繰り返し記録可能なタイプの方が再生光劣化しやすい。このため、繰り返し記録可能な光ディスクにおいては光強度のピークレベルと平均レベルの比を例えば４．５以下と小さくしても良く、より信頼性の高い光学的情報再生装置を提供できる。
【０１４８】
ＶＩ．次に、再生動作中に再生速度を変更する際の動作について説明する。
【０１４９】
再生動作中に再生速度を上げることは、例えば光学的情報再生装置が再生を一時的に停止して省電力のため光ディスク１を低回転で駆動している状態から、再び再生を開始するため光ディスク１の回転数を上げて高速度状態に変わる際等に実施される。
【０１５０】
再生動作中に再生速度を上げる際の動作は、次の手順で行われる。
【０１５１】
即ち、先ず、制御部５がスピンドルモータの回転数を増加させる（工程１０１）。
【０１５２】
次に、高周波電流のパラメータの設定を、変更後の速度にあわせて変更し、光強度のピークレベル値と平均レベル値の比を減少させる（工程１０２）。
【０１５３】
その後、レーザの光強度を増加する（工程１０３）。
【０１５４】
高周波電流のパラメータの設定を変える前にレーザの光強度を増加すると、レーザの光強度のピークレベルが再生光劣化を起こすレベルを超えてしまうが、上記手順を踏むことにより再生光劣化を起こすレベルを超えることを防止することができ信頼性の高い光学的情報再生装置を提供できる。
【０１５５】
また、再生動作中に再生速度を下げることは、光ディスク１が高回転で駆動される際に発生する振動によって再生信号の品質が悪化している場合等に実施される。
【０１５６】
再生動作中に再生速度を下げる際の動作は、次の手順で行われる。
【０１５７】
即ち、先ず、制御部５がスピンドルモータの回転数を低下させる（工程２０１）。
【０１５８】
次に、レーザの光強度を低下させる（工程２０２）。
【０１５９】
その後、高周波電流のパラメータの設定を変更後の速度にあわせて変更し、光強度のピークレベルと平均レベルの比を増加させる（工程２０３）。
【０１６０】
上記工程２０２〜２０３の動作を、図３を用いて具体的に説明する。
【０１６１】
工程２０２において、レーザ出力を０．６ｍＷから０．３ｍＷに低下させることは、図３の曲線３２上の点３２ｂ（レーザ出力が０．６ｍＷ、高周波重畳用振幅値が３．３ｍＡｐｐ、高周波重畳用周波数が４００ＭＨｚ）から、点３２ａ（レーザ出力が０．３ｍＷ、高周波重畳用振幅値が３．３ｍＡｐｐ、高周波重畳用周波数が４００ＭＨｚ）に遷移することに対応する。
【０１６２】
次に、工程２０３において、ピークレベル値／平均レベル値を５．４から６．６に増加させることは、図３の曲線３２上の点３２ａから、曲線３１上の点３１ａ（レーザ出力が０．３ｍＷ、高周波重畳用振幅値が５ｍＡｐｐ、高周波重畳用周波数が４００ＭＨｚ）に遷移することに対応する。
【０１６３】
レーザの光強度を低下させる前に光強度のピークレベルと平均レベルの比を増加させると、レーザの光強度のピークレベルが再生光劣化を起こすレベルを超えてしまうが、上記手順により再生光劣化を起こすレベルを超えることを防止することができ信頼性の高い光学的情報再生装置を提供できる。
【０１６４】
ＶＩＩ．次に、本実施の形態の光学的情報再生装置の記憶部１８に、高周波電流のパラメータとして、予め記憶されている設定値データ（周波数設定値と、振幅設定値）について、図４，５を用いて説明する。
【０１６５】
図４は、本発明の実施の形態における光学的情報再生装置の高周波電流の周波数設定値と高周波重畳用周波数の関係図、図５は、本発明の実施の形態における光学的情報再生装置の高周波電流の振幅設定値と高周波重畳用振幅の関係図である。
【０１６６】
光ディスクの種類と再生速度毎に設定された高周波重畳用周波数と高周波重畳用振幅に対応する周波数設定値と振幅設定値が、記憶部１８に予め記憶されている。
【０１６７】
制御部５は、セットされた光ディスク１の種類を判定して、再生速度を決定した結果に対応する高周波電流のパラメータとして、上記の周波数設定値と振幅設定値（設定値データ）を記憶部１８から選択し、Ｄ／Ａ変換器１６へ出力する。これら設定値データを制御部５から受け取ったＤ／Ａ変換器１６は、対応する周波数と振幅をオシレータ１７に発生させる。
【０１６８】
しかしながら、設定値データ（周波数設定値、振幅設定値）が同一であっても、実際の高周波重畳用周波数や高周波重畳用振幅は、レーザ駆動部７の特性ばらつき等の影響により同じにならない。更にまた、基本駆動電流と、高周波重畳用周波数及び振幅等により定まる、光強度のピークレベル値と平均レベル値との比やジッタは、半導体レーザ６の特性ばらつきや駆動電流の伝送経路の影響も受ける。
【０１６９】
例えば、図４に示す様に、ある光学的情報再生装置の場合、周波数設定値を１０（ｄｅｃ）に設定すれば、レーザ駆動部７が基本駆動電流に重畳する高周波電流の周波数は４００ＭＨｚが得られるが（図４の直線４０１参照）、別の光学的情報再生装置の場合は、周波数設定値を１２（ｄｅｃ）に設定しなければ、４００ＭＨｚを得ることが出来ない（図４の直線４０２参照）。図５についても同様のことが言える（図５の直線５０１，５０２参照）。
【０１７０】
このため周波数設定値と振幅設定値は、個々の光学的情報再生装置毎に製造時に、所定の調整により設定し、記憶部１８に記憶しておく。
【０１７１】
これにより、特性ばらつきに影響を受けない高精度な設定を実現でき信頼性の高い光学的情報再生装置を実現可能できる。
【０１７２】
尚、製造時の上記所定の調整としては、例えば次の方法が挙げられる。
【０１７３】
一般に、高周波電流を重畳していない基本駆動電流が半導体レーザ６に供給される場合、その基本駆動電流が所定値を越えるまではレーザ光は出力を開始しないが、所定値以上の電流が供給されると、その後は、レーザ光の出力値がほぼ直線的に立ち上がる。尚、この基本駆動電流とレーザ光の出力値との関係は半導体レーザ６の特性ばらつき等により異なる。
【０１７４】
また、高周波電流が重畳された駆動電流が半導体レーザ６に供給される場合も、上記とほぼ同様の現象が生じるが、レーザ光が出力しはじめる平均電流値は、高周波電流の振幅値が大きいほど、基本駆動電流を供給した場合の所定値に比べてより小さくなる。従って、半導体レーザ６から所定のレーザ出力が出ている時に供給されている基本駆動電流の値と高周波電流が重畳された駆動電流の平均電流値との差分ΔＩｔｈが、基本駆動電流に対する高周波電流の重畳の影響度を示す指標となる。
【０１７５】
そこで、ピークレベル値／平均レベル値が所定値を満足するように、高周波電流の振幅設定値及び周波数設定値が予め決定された、基準の光学的情報再生装置を用意して、その基準の装置における差分ΔＩｔｈを、使用される高周波電流の振幅設定値及び周波数設定値毎に予め測定しておく。具体的には、図３の曲線３１に対応した条件（高周波重畳用振幅値が５ｍＡｐｐで、高周波重畳用周波数が４００ＭＨｚ）の元での差分ΔＩｔｈ１と、曲線３２に対応した条件（高周波重畳用振幅値が３．３ｍＡｐｐで、高周波重畳用周波数が４００ＭＨｚ）の元での差分ΔＩｔｈ２とが予め測定されている。
【０１７６】
製造工程では、それぞれの光学的情報再生装置について、上記基準の装置の差分ΔＩｔｈ１，ΔＩｔｈ２と同じ差分が生じる様に、高周波電流の振幅及び周波数（図４，５の縦軸の値を参照）を、各差分毎に調整する。この調整により、製造工程での各装置における、基本駆動電流に対する高周波電流の重畳の影響度を、上記基準の装置における影響度と同じにすることが可能となる。
【０１７７】
その結果、周波数設定値と振幅設定値（図４，５の横軸の値参照）を、各装置毎に精度良く設定することが出来る。
【０１７８】
尚、上記の様にして設定されたそれぞれの設定値に対応して、図３で述べたレーザ出力が得られる様に、即ち、点３１ａでは０．３ｍＷが出力され、点３２ｂでは、０．６ｍＷが出力される様に、基本駆動電流の値が調整されている。
【０１７９】
尚、複数の設定値データの全てを製造時に調整して記憶部１８に記憶するのではなく、一部の設定値データのみ調整することにより、製造段階の調整工数を削減できる。この場合でも、光ディスクを再生する際に、記憶部１８に記憶されていない設定データは、記憶済みの設定値データの値に基づいて、推定設定（例えば比例算出）可能である。
【０１８０】
例えば、図５の直線５０１に示す様に、１回のみ記録可能な光ディスクにおいて振幅設定値の標準値が、２倍速再生時（図５の振幅５ｍＡｐｐ参照）において１２ｄｅｃ、４倍速再生時（図５の振幅３．３ｍＡｐｐ参照）において８ｄｅｃ（４倍速再生時に対する２倍速再生時の振幅設定値の比が１．５）であるとする。ここで、図５の直線５０１は、標準的な光学的情報再生装置の高周波重畳用振幅と振幅設定値との関係を示す。
【０１８１】
この場合、ある一つの光学的情報再生装置の調整工程において、４倍速再生時の振幅設定値が６ｄｅｃとなり、標準値の８ｄｅｃより設定値が小さくなった場合、２倍速再生時の振幅設定値を、４倍速再生時の振幅設定値６ｄｅｃの１．５倍の９ｄｅｃと推定して（図５の直線５０２参照）、その推定値を記録部１８に記録する。このレーザ駆動部７は標準値より小さな設定値で、同等の高周波重畳用振幅を発生させるレーザ駆動部７であり、２倍速再生時の振幅設定値も標準値より小さく推定できており、製造時の工数を削減して低コストの光学的情報再生装置を実現可能できる。
【０１８２】
尚、推定による振幅設定値の設定では計算誤差が発生するため、推定設定する場合には、ジッタに対する改善効果の弱い、最小の振幅設定値（図５の振幅３．３ｍＡｐｐに対応する振幅設定値）だけを、調整工程における調整の対象として高精度に設定し、大きい振幅設定値（図５の振幅５ｍＡｐｐに対応する振幅設定値）を推定設定することがより望ましい。
【０１８３】
また、振幅設定値を推定設定する構成として、上記の例では、図５に示す直線５０１の傾きを使用する場合について説明したがこれに限らず、例えば、調整工程において、最小の振幅設定値を高精度に設定するとともに、その光学的情報再生装置の図５に示す直線５０２の傾きを求めて、記憶部１８に記憶しておいても良い。この構成の場合、直線５０１の傾きを一律に使用するよりも、推定設定の精度が向上する。
【０１８４】
尚、本実施の形態の光学的情報再生装置においては、１種類の半導体レーザのみを備える構成としたが、これに限定されるものではなく、複数の半導体レーザを備え、異なる波長（例えば約６５０ｎｍや約７８０ｎｍ）のレーザ光を発光可能とする構成であっても良い。
【０１８５】
また、波長４０５ｎｍの半導体レーザのみ、光ディスク１の種類と再生速度に基づく、高周波電流のパラメータの切り替えを実施し、その他の波長の半導体レーザについては高周波電流のパラメータの設定を固定タイプとしても良い。
【０１８６】
ＶＩＩＩ．次に、光ディスク１が複数の情報記録面を備える場合に、どの情報記録面を再生するかに基づいて、高周波電流のパラメータを決定する際の動作を説明する。
【０１８７】
尚、ここでは、基本駆動電流の大きさは、少なくとも、光ディスク１が複数の情報記録面を有する光ディスクの場合にどの情報記録面を再生するかを示す再生層情報に基づいて予め決定される。例えば、光ディスク１のレーザ光の入射面から遠い位置の情報記録面の方が、近い位置の情報記録面よりレーザ出力は大きく設定する。
【０１８８】
また、高周波電流のパラメータを決定する際に、レーザ光の光強度のピークレベル値と平均レベル値との比（ピークレベル値／平均レベル値）が所定の閾値以下となる様に、高周波電流のパラメータを設定することは、上記の場合と同様である。
【０１８９】
しかし、多層の光ディスクの場合、単層の光ディスクに比べて、再生光劣化が発生しやすいので、ピークレベル値／平均レベル値は、上記の場合より低く抑える必要がある。
【０１９０】
一方、レーザ出力が大きい場合、レーザの帰還光によるノイズの影響は小さいため、ノイズに起因するジッタの発生は抑制される。
【０１９１】
従って、再生光劣化を防止するために、近い位置の情報記録面を再生する場合に比べて、遠い位置の情報記録面を再生する場合の方が、ピークレベル値／平均レベル値は、より一層小さく設定する必要がある。具体的には、最も遠い位置の情報記録面を再生する場合、高周波電流が重畳されていない基本駆動電流だけを半導体レーザ６に供給する等、重畳される高周波電流を弱くすることが望ましい。よって、高周波電流のパラメータには周波数が０の場合を含む。
【０１９２】
上記構成によれば、多層ディスクの複数の情報記録面の内、どの情報記録面が再生対象となるかによって、高周波電流のパラメータを決定するので、再生光劣化を防止出来、ジッタの抑制も可能である。
【０１９３】
ＩＸ．次に、光ディスク１が複数の情報記録面を備える場合に、再生する情報記録面を変更する際の動作について説明する。
【０１９４】
複数の情報記録面を同一の波長、同一のＮＡのレンズで再生する場合であっても、各情報記録面の特性に応じて高周波電流のパラメータを変更することが望ましい。
【０１９５】
一般に、再生する情報記録面を変更する際には、レーザ光の集光面を変更するための対物レンズ１３の移動と、球面収差を補正するためのコリメータレンズ１１の移動を行う。本実施の形態においては、さらに高周波電流のパラメータも変更する。
【０１９６】
記憶部１８は、光ディスク１の種類と再生速度に加えて、再生する情報記録面毎に高周波電流のパラメータを予め備えている。
【０１９７】
再生する情報記録面を変更する場合には、制御部５が再生中の情報記録面に対応する高周波電流のパラメータと、変更後の情報記録面に対応する高周波電流のパラメータとを比較する（工程３０１）。
【０１９８】
変更後の情報記録面に対応する高周波電流のパラメータの方が、光強度のピークレベル値が小さい場合（例えば高周波重畳用振幅値が小さい）は、先ず、高周波電流のパラメータを変更する（工程３０２）。その後、対物レンズ１３とコリメータレンズ１１の移動を行う（工程３０３）。
【０１９９】
これにより変更後の情報記録面にレーザが集光される際には光強度のピークレベル値が再生光劣化しないレベルに押さえされており、信頼性の高い学的情報再生装置を提供することができる。
【０２００】
また、変更後の情報記録面に対応する高周波電流のパラメータの方が光強度のピークレベルが大きい場合は、先ず、対物レンズ１３とコリメータレンズ１１の移動を行う（工程３０４）、その後、高周波電流パラメータを変更する（工程３０５）。
【０２０１】
これにより変更前の情報記録面に対して再生光劣化が発生するピークレベルのレーザを照射することなく情報記録面の変更を行うことが出来、信頼性の高い光学的情報再生装置を提供することができる。
【０２０２】
また、記憶部１８は光ピックアップ３内に備えていても良い。
【０２０３】
尚、上記実施の形態では、再生光劣化の防止と同時にジッタも最適化する場合について説明したが、これに限らず例えば、ジッタは必ずしも最適化さていなくても良く、要するに、再生光の劣化を抑制出来て、ジッタが抑制されておれば良い。
【０２０４】
また、上記実施の形態では、光ディスクの種類と再生速度の両方に応じて、高周波電流のパラメータを決定する場合について説明したが、これに限らず例えば、何れか一方に応じて高周波電流のパラメータを決定する構成でも良い。この場合でも従来より、再生光劣化を抑制できる。
【０２０５】
また、上記実施の形態では、複数の情報記録面を有する光ディスクにおいて、再生対象となる情報記録面に応じて、高周波電流のパラメータを決定する場合について説明したが、これに限らず例えば、光ディスクの種類及び再生速度の少なくとも何れか一方をも考慮して、高周波電流のパラメータを決定する構成でも良い。
【０２０６】
また、上記実施の形態では、再生途中で、高周波電流のパラメータを変更する例として、再生速度の変更、又は、再生対象の情報記録面の選択に応じて、高周波電流のパラメータを変更する場合について説明したが、これに限らず例えば、再生速度の変更及び再生対象の情報記録面の選択の両方に応じて、高周波電流のパラメータを変更する構成でも良い。
【０２０７】
また、上記実施の形態では、推定設定（例えば、比例算出）した設定値データを記憶部１８に記録して、その後は、記録された推定設定値を使用する場合について説明したが、これに限らず例えば、再生動作の度に推定設定しても良い。
【０２０８】
尚、本発明のプログラムは、上述した本発明の光学的情報再生装置の制御部の機能をコンピュータにより実行させるためのプログラムであって、コンピュータと協働して動作するプログラムであってもよい。
【０２０９】
また、本発明のプログラムは、上述した本発明の光学的情報再生装置の情報再生方法の、高周波電流のパラメータを決定する工程の動作をコンピュータにより実行させるプログラムであって、コンピュータと協働して動作するプログラムであってもよい。
【０２１０】
また、本発明の記録媒体は、上述した本発明の光学的情報再生装置の制御部の機能をコンピュータにより実行させるためのプログラムを担持した記録媒体であり、コンピュータにより読み取り可能且つ、読み取られた前記プログラムが前記コンピュータと協動して前記機能を実行する記録媒体であってもよい。
【０２１１】
また、本発明の記録媒体は、上述した本発明の光学的情報再生装置の情報再生方法の、高周波電流のパラメータを決定する工程の動作をコンピュータにより実行させるプログラムを記録した記録媒体であり、コンピュータにより読み取り可能且つ、読み取られた前記プログラムが前記コンピュータと協動して前記動作を実行する記録媒体であってもよい。
【０２１２】
また、本発明のプログラムの一利用形態は、コンピュータにより読み取り可能な、ＲＯＭ等の記録媒体に記録され、コンピュータと協働して動作する態様であっても良い。
【０２１３】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０２１４】
また、上述した本発明のコンピュータは、ＣＰＵ等の純然たるハードウェアに限らず、ファームウェアや、ＯＳ、更に周辺機器を含むものであっても良い。
【０２１５】
尚、以上説明した様に、本発明の構成は、ソフトウェア的に実現しても良いし、ハードウェア的に実現しても良い。
【産業上の利用可能性】
【０２１６】
本発明にかかる光学的情報再生装置、光学的情報再生装置の情報再生方法、プログラム、及び記録媒体は、再生光劣化防止が可能であり、高密度に情報が記録された光ディスクの再生システム等に好適である。
【符号の説明】
【０２１７】
１  光ディスク
２  スピンドルモータ
３  光ピックアップ
４  信号処理部
５  制御部
６  半導体レーザ
７  レーザ駆動部
８  前光用ビームスプリッタ
９  前光モニタ
１０  ビームスプリッタ
１１  コリメータレンズ
１２  立ち上げミラー
１３  対物レンズ
１４  光検出器
１５  電流制御部
１６  Ｄ／Ａ変換器
１７  オシレータ
１８  記憶部
３１  曲線（２倍速再生時の説明に用いた、ピークレベル値／平均レベル値の特性曲線）
３２  曲線（４倍速再生時の説明に用いた、ピークレベル値／平均レベル値の特性曲線）
３３  曲線（高周波重畳用周波数を変更した場合の説明に用いた、ピークレベル値／平均レベル値の特性曲線）
【手続補正２】
【補正対象書類名】特許請求の範囲
【補正対象項目名】全文
【補正方法】変更
【補正の内容】
【特許請求の範囲】
【請求項１】
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定し、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の入射面に最も遠い位置の情報記録面を再生する場合の方が、前記レーザ光のピークレベル値と平均レベル値との比（ピークレベル値／平均レベル値）が小さくなるように高周波電流のパラメータを決定する、光学的情報再生装置。
【請求項２】
前記レーザ光の入射面に最も遠い位置の情報記録面を再生する場合、高周波電流が重畳されていない基本駆動電流だけを前記半導体レーザに供給する、請求項１に記載の光学的情報再生装置。
【請求項３】
前記高周波電流のパラメータは、前記レーザ駆動部で用いられる、前記高周波電流の振幅値を設定する振幅設定値と前記高周波電流の周波数を設定する周波数設定値とを含む、請求項２に記載の光学的情報再生装置。
【請求項４】
前記高周波電流のパラメータは、前記レーザ光の光強度のピークレベル値と平均レベル値との比が、予め定められた値以下になる様に、設定される、請求項３に記載の光学的情報再生装置。
【請求項５】
前記予め定められた値は、前記情報記録媒体が再生される際に、前記レーザ光によって、前記情報記録媒体の記録情報にダメージを与えないための閾値である、請求項４に記載の光学的情報再生装置。
【請求項６】
前記予め定められた値は、前記情報記録媒体のどの情報記録面を再生するのかによって、異なる、請求項５に記載の光学的情報再生装置。
【請求項７】
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備え、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の入射面に最も遠い位置の情報記録面を再生する場合の方が、前記レーザ光のピークレベル値と平均レベル値との比（ピークレベル値／平均レベル値）が小さくなるように高周波電流のパラメータを決定する、光学的情報再生装置の情報再生方法。
【請求項８】
前記レーザ光の入射面に最も遠い位置の情報記録面を再生する場合、高周波電流が重畳されていない基本駆動電流だけを前記半導体レーザに供給する、請求項７に記載の光学的情報再生装置の情報再生方法。
【請求項９】
前記高周波電流のパラメータは、前記レーザ駆動部で用いられる、前記高周波電流の振幅値を設定する振幅設定値と前記高周波電流の周波数を設定する周波数設定値とを含む、請求項８に記載の光学的情報再生装置の情報再生方法。
【請求項１０】
前記高周波電流のパラメータは、前記レーザ光の光強度のピークレベル値と平均レベル値との比が、予め定められた値以下になる様に、設定される、請求項９に記載の光学的情報再生装置の情報再生方法。
【請求項１１】
前記予め定められた値は、前記情報記録媒体が再生される際に、前記レーザ光によって、前記情報記録媒体の記録情報にダメージを与えないための閾値である、請求項１０に記載の光学的情報再生装置の情報再生方法。
【請求項１２】
前記予め定められた値は、前記情報記録媒体のどの情報記録面を再生するのかによって、異なる、請求項１１に記載の光学的情報再生装置の情報再生方法。
【手続補正３】
【補正対象書類名】図面
【補正対象項目名】全図
【補正方法】変更
【補正の内容】
【図１】
2010023905.tif 000009
【図２】
2010023905.tif 000010
【図３】
2010023905.tif 000011
【図４】
2010023905.tif 000012
【図５】
2010023905.tif 000013
【図６】
2010023905.tif 000014
【手続補正書】
【提出日】平成23年1月17日(2011.1.17)
【手続補正２】
【補正対象書類名】明細書
【補正対象項目名】００１６
【補正方法】変更
【補正の内容】
【００１６】
本発明は、記録媒体に記録された情報が、レーザ光によりダメージを受けることを抑制できる信頼性の高い光学的情報記録再生装置、及び光学的情報再生装置の情報再生方法を提供することを目的とする。
【手続補正３】
【補正対象書類名】明細書
【補正対象項目名】００１７
【補正方法】変更
【補正の内容】
【００１７】
第１の本発明は、
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定し、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の前記入射面に最も遠い位置の情報記録面を再生する場合の方が、前記レーザ光の光強度のピークレベル値と平均レベル値との比（ピークレベル値／平均レベル値）が小さくなるように前記高周波電流のパラメータを決定する、光学的情報再生装置である。
【手続補正４】
【補正対象書類名】明細書
【補正対象項目名】００１８
【補正方法】変更
【補正の内容】
【００１８】
また、第２の本発明は、
前記レーザ光の前記入射面に最も遠い位置の前記情報記録面を再生する場合、前記高周波電流が重畳されていない基本駆動電流だけを前記半導体レーザに供給する、上記第１の本発明の光学的情報再生装置である。
【手続補正５】
【補正対象書類名】明細書
【補正対象項目名】００１９
【補正方法】変更
【補正の内容】
【００１９】
また、第３の本発明は、
前記高周波電流のパラメータは、前記レーザ駆動部で用いられる、前記高周波電流の振幅値を設定する振幅設定値と前記高周波電流の周波数を設定する周波数設定値とを含む、上記第２の本発明の光学的情報再生装置である。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２５
【補正方法】変更
【補正の内容】
【００２５】
また、第６の本発明は、
前記予め定められた値は、前記情報記録媒体のどの情報記録面を再生するのかによって、異なる、上記第５の本発明の光学的情報再生装置である。
【手続補正１０】
【補正対象書類名】明細書
【補正対象項目名】００２６
【補正方法】変更
【補正の内容】
【００２６】
これにより、例えば、情報記録媒体の再生対象となる情報記録面によらず、情報記録媒体の再生光劣化を防止可能な光学的情報再生装置を提供できる。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】変更
【補正の内容】
【００４７】
また、第７の本発明は、
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを有し、
前記制御部により、前記高周波電流の重畳の対象となる電流の大きさに基づいて、前記高周波電流のパラメータを決定する工程を備え、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の前記入射面に最も遠い位置の情報記録面を再生する場合の方が、前記レーザ光の光強度のピークレベル値と平均レベル値との比（ピークレベル値／平均レベル値）が小さくなるように前記高周波電流のパラメータを決定する、光学的情報再生装置の情報再生方法である。
【手続補正３２】
【補正対象書類名】明細書
【補正対象項目名】００４８
【補正方法】変更
【補正の内容】
【００４８】
また、第８の本発明は、
前記レーザ光の前記入射面に最も遠い位置の前記情報記録面を再生する場合、前記高周波電流が重畳されていない基本駆動電流だけを前記半導体レーザに供給する、上記第７の本発明の光学的情報再生装置の情報再生方法である。
【手続補正３３】
【補正対象書類名】明細書
【補正対象項目名】００４９
【補正方法】変更
【補正の内容】
【００４９】
また、第９の本発明は、
前記高周波電流のパラメータは、前記レーザ駆動部で用いられる、前記高周波電流の振幅値を設定する振幅設定値と前記高周波電流の周波数を設定する周波数設定値とを含む、上記第８の本発明の光学的情報再生装置の情報再生方法である。
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】変更
【補正の内容】
【００５３】
また、第１０の本発明は、
前記高周波電流のパラメータは、前記レーザ光の光強度のピークレベル値と平均レベル値との比が、予め定められた値以下になる様に、設定される、上記第９の本発明の光学的情報再生装置の情報再生方法である。
【手続補正３８】
【補正対象書類名】明細書
【補正対象項目名】００５４
【補正方法】変更
【補正の内容】
【００５４】
また、第１１の本発明は、
前記予め定められた値は、前記情報記録媒体が再生される際に、前記レーザ光によって、前記情報記録媒体の記録情報にダメージを与えないための閾値である、上記第１０の本発明の光学的情報再生装置の情報再生方法である。
【手続補正３９】
【補正対象書類名】明細書
【補正対象項目名】００５５
【補正方法】変更
【補正の内容】
【００５５】
また、第１２の本発明は、
前記予め定められた値は、前記情報記録媒体のどの情報記録面を再生するのかによって、異なる、上記第１１の本発明の光学的情報再生装置の情報再生方法である。
【手続補正４０】
【補正対象書類名】明細書
【補正対象項目名】００５６
【補正方法】変更
【補正の内容】
【００５６】
これにより、例えば、情報記録媒体の再生対象となる情報記録面によらず情報記録媒体の再生光劣化を防止可能な、光学的情報再生装置における情報再生方法を提供できる。
【手続補正４１】
【補正対象書類名】明細書
【補正対象項目名】００５７
【補正方法】変更
【補正の内容】
【００５７】
以下、本発明に関連する発明（第１発明〜第３３発明）について説明する。
第１発明は、  
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定する、光学的情報再生装置である。
また、第２発明は、
前記制御部は、前記情報記録媒体から情報を読み出すための再生速度を決定する機能及び前記情報記録媒体の種類を判別する機能の内、少なくとも何れか一つの機能を有し、
前記重畳の対象となる電流の大きさは、ｉ）前記制御部により前記判別された前記情報記録媒体の種類、ｉｉ）前記制御部により前記決定された前記再生速度及び、ｉｉｉ）前記情報記録媒体の情報記録面の内どの情報記録面が再生されるのかを示す再生層情報の内、少なくとも何れか一つの情報に基づいて決定される、上記第１発明の光学的情報再生装置である。
また、第３発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第２発明の光学的情報再生装置である。
これにより、例えば、情報記録媒体の種類と再生速度に応じて高周波電流のパラメータを決定するので、再生光劣化を防止可能で、且つジッタの少ない再生が可能な光学的情報再生装置を提供できる。
また、例えば、本発明の光学的情報再生装置は、情報記録媒体の種類が、再生専用、１回のみ記録可能、繰り返し記録可能のうちのいずれであるかを判別し、前記判別結果に基づいて前記高周波電流のパラメータを決定しても良い。
これにより、例えば、情報記録媒体の種類によらず情報記録媒体の再生光劣化を防止可能な光学的情報再生装置を提供できる。
また、第４発明は、
前記高周波電流のパラメータは、前記レーザ光の光強度のピークレベル値と平均レベル値との比が、予め定められた値以下になる様に、設定される、上記第３発明の光学的情報再生装置である。
また、第５発明は、
前記予め定められた値は、前記情報記録媒体が再生される際に、前記レーザ光によって、前記情報記録媒体の記録情報にダメージを与えないための閾値である、上記第４発明の光学的情報再生装置である。
また、第６発明は、
前記予め定められた値は、前記情報記録媒体の種類によって、前記再生速度によって、又は、前記情報記録媒体のどの情報記録面を再生するのかによって、異なる、上記第５発明の光学的情報再生装置である。
これにより、例えば、情報記録媒体の種類、再生速度、又は、再生対象となる情報記録面によらず、情報記録媒体の再生光劣化を防止可能な光学的情報再生装置を提供できる。
また、第７発明は、
前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第４〜６の何れかの発明の光学的情報再生装置である。
これにより、例えば、光学的情報再生装置の起動時の学習を不要として立ち上がり時間の短い光学的情報再生装置を提供できる。
また、第８発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第４，６，又は７発明の光学的情報再生装置である。
これにより、例えば、再生光劣化を防止しつつ、再生光劣化の発生しない再生専用の記録媒体についてはジッタの少ない再生が可能な光学的情報再生装置を提供できる。
また、第９発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第４，６，又は７発明の光学的情報再生装置である。
これにより、例えば、再生光劣化を防止しつつ、１回のみ情報記録可能な記録媒体に対してはジッタの少ない再生が可能な光学的情報再生装置を提供できる。  
また、第１０発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第８又は９発明の光学的情報再生装置である。
これにより、例えば、光強度のピークレベルを下げることができ、情報記録媒体の再生光劣化を防止可能な光学的情報再生装置を提供できる。
また、第１１発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第８又は９発明の光学的情報再生装置である。
これにより、例えば、光強度のピークレベルを下げることができ、情報記録媒体の再生光劣化を防止可能な光学的情報再生装置を提供できる。
また、第１２発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出される、上記第７発明の光学的情報再生装置である。
これにより、例えば、ジッタの抑制効果が弱い、最小の振幅設定値を精度良く設定して設定誤差の影響を小さくしつつ、その他の設定値の設定工数を削減して低コストを実現可能な光学的情報再生装置を提供できる。
また、第１３発明は、
前記制御部は、前記情報記録媒体に記録された前記情報の再生中に前記再生速度を変更する場合、又は、前記再生される前記情報記録面を変更する場合、前記決定されたパラメータを変更する、上記第４発明の光学的情報再生装置である。
これにより、例えば、情報記録媒体の再生速度の変更、又は、再生される情報記録面の変更に応じて高周波電流のパラメータを変更するので、再生光劣化を防止可能で、且つ、ジッタの少ない再生が可能な光学的情報再生装置を提供できる。
また、第１４発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第１３発明の光学的情報再生装置である。
これにより、例えば、再生中に再生速度を上げる場合にも再生光劣化を防止可能な光学的情報再生装置を提供できる。
また、第１５発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第１３発明の光学的情報再生装置である。
これにより、例えば、再生中に再生速度を下げる場合にも再生光劣化を防止可能な光学的情報再生装置を提供できる。
また、例えば、本発明の光学的情報再生装置は、半導体レーザの発振波長が、３９０ｎｍ以上４５０ｎｍ以下であっても良い。
これにより、例えば、波長が３９０ｎｍ以上４５０ｎｍの範囲のレーザ光により情報の再生を行う高密度な情報記録媒体に対する再生中であっても、再生光劣化を防止可能な光学的情報再生装置を提供できる。
また、第１６発明は、  
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを備え、
前記制御部により、前記高周波電流の重畳の対象となる電流の大きさに基づいて、前記高周波電流のパラメータを決定する工程を備えた、光学的情報再生装置の情報再生方法である。
また、第１７発明は、
前記制御部は、前記情報記録媒体から情報を読み出す再生速度を決定する機能及び前記情報記録媒体の種類を判別する機能の内、少なくとも何れか一方の機能を有し、
前記重畳の対象となる電流の大きさは、ｉ）前記制御部により前記判別された前記情報記録媒体の種類、ｉｉ）前記制御部により前記決定された前記再生速度、及びｉｉｉ）前記情報記録媒体の情報記録面の内どの情報記録面が再生されるのかを示す再生層情報の内、少なくとも何れか一つの情報に基づいて決定される、上記第１６発明の光学的情報再生装置の情報再生方法である。
また、第１８発明は、
前記制御部は、前記再生速度を決定する機能、及び前記情報記録媒体の種類を判別する機能を有しており、
前記高周波電流のパラメータは、前記判別された前記情報記録媒体の種類、及び前記決定された前記再生速度に基づいて決定されるものであり、
前記決定された前記高周波電流のパラメータは、前記レーザ駆動部で用いられる、前記高周波電流の振幅値を設定する振幅設定値と前記高周波電流の周波数を設定する周波数設定値とを含む、上記第１７発明の光学的情報再生装置の情報再生方法である。
これにより、例えば、情報記録媒体の種類と再生速度に応じて高周波電流のパラメータを決定するので、再生光劣化を防止可能で、且つジッタの少ない再生が可能な、光学的情報再生装置における情報再生方法を提供できる。
また、例えば、本発明の光学的情報再生装置における情報再生方法は、情報記録媒体の種類が、再生専用、１回のみ記録可能、繰り返し記録可能のうちのいずれであるかを判別し、前記判別結果に基づいて前記高周波電流のパラメータを決定しても良い。
これにより、例えば、情報記録媒体の種類によらず情報記録媒体の再生光劣化を防止可能な、光学的情報再生装置における情報再生方法を提供できる。
また、第１９発明は、
前記高周波電流のパラメータは、前記レーザ光の光強度のピークレベル値と平均レベル値との比が、予め定められた値以下になる様に、設定される、上記第１８発明の光学的情報再生装置の情報再生方法である。
また、第２０発明は、
前記予め定められた値は、前記情報記録媒体が再生される際に、前記レーザ光によって、前記情報記録媒体の記録情報にダメージを与えないための閾値である、上記第１９発明の光学的情報再生装置の情報再生方法である。
また、第２１発明は、
前記予め定められた値は、前記情報記録媒体の種類によって、前記再生速度によって、又は、前記情報記録媒体のどの情報記録面を再生するのかによって、異なる、上記第２０発明の光学的情報再生装置の情報再生方法である。
これにより、例えば、情報記録媒体の種類、再生速度、又は、再生対象となる情報記録面によらず情報記録媒体の再生光劣化を防止可能な、光学的情報再生装置における情報再生方法を提供できる。
また、第２２発明は、
前記情報記録再生装置は、前記予め設定された、前記高周波電流のパラメータを記憶する記憶部を備え、
前記情報記録媒体の種類の判別結果と前記決定された前記再生速度とに基づいて、前記記憶部から前記高周波電流のパラメータが選択的に読み出される、上記第１９〜２１の何れかの発明の光学的情報再生装置の情報再生方法である。
これにより、例えば、光学的情報再生装置の起動時の学習を不要として立ち上がり時間の短い、光学的情報再生装置における情報再生方法を提供できる。
また、第２３発明は、
前記レーザ光の光強度のピークレベル値と平均レベル値との比は、前記情報記録媒体が再生専用タイプである場合より、前記情報記録媒体が情報記録可能タイプである場合の方が小さくなる様に、前記高周波電流のパラメータが設定されている、上記第１９、２１、又は２２発明の光学的情報再生装置の情報再生方法である。
これにより、例えば、再生光劣化を防止しつつ、再生光劣化の発生しない再生専用の記録媒体についてはジッタの少ない再生が可能な、光学的情報再生装置における情報再生方法を提供できる。
また、第２４発明は、
前記レーザ光の光強度のピークレベル値と平均レベル値との比は、前記情報記録媒体が１回のみ情報記録可能タイプである場合より、前記情報記録媒体が繰り返し記録可能タイプである場合の方が小さくなる様に、前記高周波電流のパラメータが設定されている、上記第１９、２１、又は２２発明の光学的情報再生装置の情報再生方法である。
これにより、例えば、再生光劣化を防止しつつ、１回のみ情報記録可能な記録媒体に対してはジッタの少ない再生が可能な、光学的情報再生装置における情報再生方法を提供できる。
また、第２５発明は、
前記再生専用タイプ又は前記１回のみ情報記録可能タイプに対して予め設定されている前記高周波電流の振幅は、前記情報記録可能タイプ又は前記繰り返し記録可能タイプに対して予め設定されている前記高周波電流の振幅より小さい、上記第２３又は２４発明の光学的情報再生装置の情報再生方法である。
これにより、例えば、光強度のピークレベルを下げることができ、情報記録媒体の再生光劣化を防止可能な、光学的情報再生装置における情報再生方法を提供できる。
また、第２６発明は、
前記再生専用タイプ又は前記１回のみ情報記録可能タイプに対して予め設定されている前記高周波電流の周波数は、前記情報記録可能タイプ又は前記繰り返し記録可能タイプに対して予め設定されている前記高周波電流の周波数より高い、
上記第２３又は２４発明の光学的情報再生装置の情報再生方法である。
これにより、例えば、光強度のピークレベルを下げることができ、情報記録媒体の再生光劣化を防止可能な、光学的情報再生装置における情報再生方法を提供できる。
また、第２７発明は、
前記記憶部に記憶された前記高周波電流のパラメータに含まれる前記振幅設定値は、所定の振幅の高周波電流が得られる様に、予め設定されており、他の振幅設定値は前記記憶部に記憶された前記振幅設定値を用いて算出する、上記第２２発明の光学的情報再生装置の情報再生方法である。
これにより、例えば、ジッタの抑制効果が弱い最小の振幅設定値を精度良く設定して設定誤差の影響を小さくしつつ、その他の設定値の設定工数を削減して低コストを実現可能な、光学的情報再生装置における情報再生方法を提供できる。
また、第２８発明は、
前記制御部は、前記情報記録媒体に記録された前記情報の再生中に前記再生速度を変更する場合、又は、前記再生される前記情報記録面を変更する場合、前記決定されたパラメータを変更する、上記第１９発明の光学的情報再生装置の情報再生方法である。
これにより、例えば、情報記録媒体の再生速度の変更、又は、再生される情報記録面の変更に応じて高周波電流のパラメータを変更するので、再生光劣化を防止可能で、且つジッタの少ない再生が可能な、光学的情報再生装置における情報再生方法を提供できる。
また、第２９発明は、
情報記録可能な前記情報記録媒体に記録された前記情報の再生中に、前記再生速度を上げる方向に変更する場合には、前記高周波電流のパラメータを変更した後、前記レーザ光の前記光強度の平均レベル値を上げる、上記第２８発明の光学的情報再生装置の情報再生方法である。
これにより、例えば、再生中に再生速度を上げる場合にも再生光劣化を防止可能な、光学的情報再生装置における情報再生方法を提供できる。
また、第３０発明は、  
情報記録可能な前記情報記録媒体に記録された前記情報の再生中に、前記再生速度を下げる方向に変更する場合には、前記レーザ光の光強度の前記平均レベル値を下げた後、前記高周波電流のパラメータを変更する、上記第２８発明の光学的情報再生装置の情報再生方法である。
これにより、例えば、再生中に再生速度を下げる場合にも再生光劣化を防止可能な、光学的情報再生装置における情報再生方法を提供できる。
また、例えば、本発明の光学的情報再生装置における情報再生方法は、半導体レーザの発振波長が、３９０ｎｍ以上４５０ｎｍ以下であっても良い。
これにより、例えば、波長が３９０ｎｍ以上４５０ｎｍの範囲のレーザ光により情報の再生を行う高密度な情報記録媒体に対する再生中であっても、再生光劣化を防止可能な、光学的情報再生装置における情報再生方法を提供できる。
また、第３１発明は、
上記第１発明の光学的情報再生装置の、前記高周波電流の重畳の対象となる電流の大きさに基づいて、前記高周波電流のパラメータを決定する制御部、としてコンピュータを機能させるプログラムである。
また、第３２発明は、
上記第１６発明の光学的情報再生装置の情報再生方法の、前記制御部により、前記高周波電流の重畳の対象となる電流の大きさに基づいて、前記高周波電流のパラメータを決定する工程をコンピュータに実行させるプログラムである。
また、第３３発明は、
上記第３１又は、３２発明のプログラムを記録した記録媒体であって、コンピュータにより処理可能な記録媒体である。
上記構成により、再生光劣化が発生せずジッタも良好な、高性能かつ高信頼性の情報再生装置を提供できる。
【手続補正４２】
【補正対象書類名】明細書
【補正対象項目名】００５８
【補正方法】削除
【補正の内容】
【手続補正４３】
【補正対象書類名】明細書
【補正対象項目名】００５９
【補正方法】削除
【補正の内容】
【手続補正４４】
【補正対象書類名】明細書
【補正対象項目名】００６０
【補正方法】削除
【補正の内容】
【手続補正４５】
【補正対象書類名】明細書
【補正対象項目名】００６１
【補正方法】削除
【補正の内容】
【手続補正４６】
【補正対象書類名】明細書
【補正対象項目名】００６２
【補正方法】削除
【補正の内容】
【手続補正４７】
【補正対象書類名】明細書
【補正対象項目名】００６３
【補正方法】削除
【補正の内容】
【手続補正４８】
【補正対象書類名】明細書
【補正対象項目名】００６４
【補正方法】削除
【補正の内容】
【手続補正４９】
【補正対象書類名】明細書
【補正対象項目名】００６５
【補正方法】削除
【補正の内容】
【手続補正５０】
【補正対象書類名】明細書
【補正対象項目名】００６６
【補正方法】削除
【補正の内容】
【手続補正５１】
【補正対象書類名】明細書
【補正対象項目名】００６７
【補正方法】削除
【補正の内容】
【手続補正５２】
【補正対象書類名】明細書
【補正対象項目名】００６８
【補正方法】削除
【補正の内容】
【手続補正５３】
【補正対象書類名】明細書
【補正対象項目名】００６９
【補正方法】削除
【補正の内容】
【手続補正５４】
【補正対象書類名】明細書
【補正対象項目名】００７０
【補正方法】削除
【補正の内容】
【手続補正５５】
【補正対象書類名】明細書
【補正対象項目名】００７１
【補正方法】削除
【補正の内容】
【手続補正５６】
【補正対象書類名】明細書
【補正対象項目名】００７２
【補正方法】削除
【補正の内容】
【手続補正５７】
【補正対象書類名】明細書
【補正対象項目名】００７３
【補正方法】削除
【補正の内容】
【手続補正５８】
【補正対象書類名】明細書
【補正対象項目名】００７４
【補正方法】削除
【補正の内容】
【手続補正５９】
【補正対象書類名】明細書
【補正対象項目名】００７５
【補正方法】削除
【補正の内容】
【手続補正６０】
【補正対象書類名】明細書
【補正対象項目名】００７６
【補正方法】削除
【補正の内容】
【手続補正６１】
【補正対象書類名】明細書
【補正対象項目名】００７７
【補正方法】削除
【補正の内容】
【手続補正６２】
【補正対象書類名】明細書
【補正対象項目名】００７８
【補正方法】削除
【補正の内容】
【手続補正６３】
【補正対象書類名】明細書
【補正対象項目名】００７９
【補正方法】削除
【補正の内容】
【手続補正６４】
【補正対象書類名】明細書
【補正対象項目名】００８１
【補正方法】変更
【補正の内容】
【００８１】
本発明によれば、記録媒体に記録された情報が、レーザ光によりダメージを受けることを抑制できる信頼性の高い光学的情報再生装置、及び光学的情報再生装置の情報再生方法を提供出来る。
【手続補正６５】
【補正対象書類名】明細書
【補正対象項目名】００９８
【補正方法】変更
【補正の内容】
【００９８】
制御部５は、電流制御部１５に半導体レーザ６の基本駆動電流を生成させるとともに、基本駆動電流に重畳する高周波電流の振幅と周波数をそれぞれ設定する設定値データ（図４，５参照）をＤ／Ａ変換器１６に送信する。Ｄ／Ａ変換器１６はその設定値データをアナログ電圧信号に変換しオシレータ１７に入力する。オシレータ１７は設定された周波数及び振幅の高周波電流を生成し、生成された高周波電流は、図示しないコンデンサを介して基本駆動電流にカップリングされる。
【手続補正６６】
【補正対象書類名】明細書
【補正対象項目名】０１０６
【補正方法】変更
【補正の内容】
【０１０６】
また、ディスク１の種類（再生専用、１回のみ記録可能、繰り返し記録可能）と再生速度に応じて、レーザ光の光強度とレーザ駆動部７が基本駆動電流に重畳すべき高周波電流のパラメータ（周波数と振幅値）に対応した設定値データとを記憶部１８から読み出して設定する。
【手続補正６７】
【補正対象書類名】明細書
【補正対象項目名】０１６６
【補正方法】変更
【補正の内容】
【０１６６】
光ディスクの種類と再生速度毎に設定された、高周波重畳用周波数と高周波重畳用振幅に対応する周波数設定値と振幅設定値が、記憶部１８に予め記憶されている。
【手続補正６８】
【補正対象書類名】明細書
【補正対象項目名】０１７１
【補正方法】変更
【補正の内容】
【０１７１】
これにより、特性ばらつきに影響を受けない高精度な設定を実現でき信頼性の高い光学的情報再生装置を実現できる。
【手続補正６９】
【補正対象書類名】明細書
【補正対象項目名】０１９９
【補正方法】変更
【補正の内容】
【０１９９】
これにより変更後の情報記録面にレーザが集光される際には光強度のピークレベル値が再生光劣化しないレベルに押さえされており、信頼性の高い光学的情報再生装置を提供することができる。
【手続補正７０】
【補正対象書類名】明細書
【補正対象項目名】０２１６
【補正方法】変更
【補正の内容】
【０２１６】
本発明にかかる光学的情報再生装置、及び光学的情報再生装置の情報再生方法は、再生光劣化防止が可能であり、高密度に情報が記録された光ディスクの再生システム等に好適である。
【手続補正７１】
【補正対象書類名】特許請求の範囲
【補正対象項目名】全文
【補正方法】変更
【補正の内容】
【特許請求の範囲】
【請求項１】
レーザ光を情報記録媒体に照射して情報の読み取りを行う光学的情報再生装置であって、
前記レーザ光を発生する半導体レーザと、
前記半導体レーザに、高周波電流を重畳した駆動電流を供給するレーザ駆動部と、
前記情報記録媒体を駆動するスピンドルモータと、
前記レーザ駆動部と前記スピンドルモータを制御する制御部とを備え、
前記制御部は、前記高周波電流の重畳の対象となる電流の大きさに基づいて、前記高周波電流のパラメータを決定し、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の前記入射面に最も遠い位置の情報記録面を再生する場合の方が、前記レーザ光の光強度のピークレベル値と平均レベル値との比（ピークレベル値／平均レベル値）が小さくなるように前記高周波電流のパラメータを決定する、光学的情報再生装置。
【請求項２】
前記レーザ光の前記入射面に最も遠い位置の前記情報記録面を再生する場合、前記高周波電流が重畳されていない基本駆動電流だけを前記半導体レーザに供給する、請求項１に記載の光学的情報再生装置。
【請求項３】
前記高周波電流のパラメータは、前記レーザ駆動部で用いられる、前記高周波電流の振幅値を設定する振幅設定値と前記高周波電流の周波数を設定する周波数設定値とを含む、請求項２に記載の光学的情報再生装置。
【請求項４】
前記高周波電流のパラメータは、前記レーザ光の前記光強度のピークレベル値と平均レベル値との比が、予め定められた値以下になる様に、設定される、請求項３に記載の光学的情報再生装置。
【請求項５】
前記予め定められた値は、前記情報記録媒体が再生される際に、前記レーザ光によって、前記情報記録媒体の記録情報にダメージを与えないための閾値である、請求項４に記載の光学的情報再生装置。
【請求項６】
前記予め定められた値は、前記情報記録媒体のどの情報記録面を再生するのかによって、異なる、請求項５に記載の光学的情報再生装置。
【請求項７】
レーザ光を情報記録媒体に照射して情報の読み取りを行う光学的情報再生装置の情報再生方法であって、
前記光学的情報再生装置は、
（ｉ）前記レーザ光を発生する半導体レーザと、
（ｉｉ）前記半導体レーザに、高周波電流を重畳した駆動電流を供給するレーザ駆動部と、
（ｉｉｉ）前記情報記録媒体を駆動するスピンドルモータと、
（ｉｖ）前記レーザ駆動部と前記スピンドルモータを制御する制御部とを有し、
前記制御部により、前記高周波電流の重畳の対象となる電流の大きさに基づいて、前記高周波電流のパラメータを決定する工程を備え、
前記高周波電流の重畳の対象となる電流の大きさは、前記情報記録媒体の情報記録面のうち、どの情報記録面が再生されるのかを示す再生層情報に基づいて決定され、
前記レーザ光の入射面に最も近い位置の情報記録面を再生する場合に比べて、前記レーザ光の前記入射面に最も遠い位置の情報記録面を再生する場合の方が、前記レーザ光の光強度のピークレベル値と平均レベル値との比（ピークレベル値／平均レベル値）が小さくなるように前記高周波電流のパラメータを決定する、光学的情報再生装置の情報再生方法。
【請求項８】
前記レーザ光の前記入射面に最も遠い位置の前記情報記録面を再生する場合、前記高周波電流が重畳されていない基本駆動電流だけを前記半導体レーザに供給する、請求項７に記載の光学的情報再生装置の情報再生方法。
【請求項９】
前記高周波電流のパラメータは、前記レーザ駆動部で用いられる、前記高周波電流の振幅値を設定する振幅設定値と前記高周波電流の周波数を設定する周波数設定値とを含む、請求項８に記載の光学的情報再生装置の情報再生方法。
【請求項１０】
前記高周波電流のパラメータは、前記レーザ光の前記光強度のピークレベル値と平均レベル値との比が、予め定められた値以下になる様に、設定される、請求項９に記載の光学的情報再生装置の情報再生方法。
【請求項１１】
前記予め定められた値は、前記情報記録媒体が再生される際に、前記レーザ光によって、前記情報記録媒体の記録情報にダメージを与えないための閾値である、請求項１０に記載の光学的情報再生装置の情報再生方法。
【請求項１２】
前記予め定められた値は、前記情報記録媒体のどの情報記録面を再生するのかによって、異なる、請求項１１に記載の光学的情報再生装置の情報再生方法。
【国際調査報告】
2010023905.tif 000015
2010023905.tif 000016
2010023905.tif 000017
2010023905.tif 000018